(57)【要約】  本発明の携帯電話機（１）は、ウェブサイトのＵＲＬとタイトルとを対応付けて格納するお気に入り管理テーブル（１５）を備え、上記タイトルが選択されたときに、該タイトルに対応するＵＲＬによって指定されたウェブサイトに接続する携帯電話機（１）であって、お気に入り管理テーブル（１５）には、上記タイトルと対応付けて該タイトルで特定されるウェブサイトに最後に接続した最終接続日時が格納されており、上記タイトルと共に、お気に入り管理テーブル（１５）に格納されている最終接続日時と現在の日時との差を所定のタイミングで算出した時間を表示する制御部（６）を備えているので、ウェブサイトの更新忘れやコメントの付け忘れを防ぐことができる。
2008139870.tif 000002
【特許請求の範囲】
【請求項１】
ウェブサイトのアドレスと該ウェブサイトを特定するサイト特定情報とを対応付けて格納する記憶部を備え、上記サイト特定情報が選択されたときに、該サイト特定情報に対応するアドレスによって指定されるウェブサイトに接続する通信端末装置であって、
上記記憶部には、上記サイト特定情報と対応付けて該サイト特定情報で特定されるウェブサイトに最後に接続した最終接続日または最終接続日時が格納されており、
上記サイト特定情報の中から、上記通信端末装置が接続先とするウェブサイトを特定するサイト特定情報を上記通信端末装置のユーザに選択させる選択手段と、
上記サイト特定情報を表示すると共に、上記選択手段によって接続先の候補として指定されたサイト特定情報に対応するウェブサイトのみの上記最終接続日または最終接続日時を表示する制御手段とを備えていることを特徴とする通信端末装置。
【請求項２】
ウェブサイトのアドレスと該ウェブサイトを特定するサイト特定情報とを対応付けて格納する記憶部を備え、上記サイト特定情報が選択されたときに、該サイト特定情報に対応するアドレスによって指定されるウェブサイトに接続する通信端末装置であって、
上記記憶部には、上記サイト特定情報と対応付けて該サイト特定情報で特定されるウェブサイトに最後に接続した最終接続日または最終接続日時が格納されており、
上記サイト特定情報の中から、上記通信端末装置が接続先とするウェブサイトを特定するサイト特定情報を上記通信端末装置のユーザに選択させる選択手段と、
現在の日付または日時を計時する計時手段と、
上記サイト特定情報を表示すると共に、上記選択手段によって接続先の候補として指定されたサイト特定情報に対応するウェブサイトの上記最終接続日または最終接続日時と、上記計時手段より取得した現在の日付または日時との差を所定のタイミングで算出した経過時間情報を表示する制御手段とを備えていることを特徴とする通信端末装置。
【請求項３】
上記制御手段は、上記選択手段によって接続先の候補として指定されたサイト特定情報で特定されるウェブサイトの上記経過時間情報に応じた形態で、上記選択手段を表示することを特徴とする請求の範囲第２項に記載の通信端末装置。
【請求項４】
上記記憶部には、上記サイト特定情報と対応付けて、上記経過時間情報の常時表示の可否を示す常時表示情報が格納されており、
上記制御手段は、常時表示可能であることを示す常時表示情報が対応付けられているサイト特定情報で特定されるウェブサイトの経過時間情報を常に表示することを特徴とする請求の範囲第２項または第３項に記載の通信端末装置。
【請求項５】
上記記憶部には、上記サイト特定情報と対応付けて、該サイト特定情報で特定されるウェブサイトへの書き込みの可否を示す書込可否情報が格納されており、
上記制御手段は、書き込みが可能であることを示す書込可否情報が対応付けられているサイト特定情報と、他のサイト特定情報とを区別して表示することを特徴とする請求の範囲第１項から第４項の何れか１項に記載の通信端末装置。
【請求項６】
上記記憶部には、上記サイト特定情報と対応付けて、該サイト特定情報で特定されるウェブサイトにて上記通信端末装置のユーザが書き込みを行う際に、書き込み者である該ユーザを特定するために使用している書込者特定情報が格納されており、
上記制御手段は、上記サイト特定情報と共に、上記書込者特定情報を表示することを特徴とする請求の範囲第１項から第５項の何れか１項に記載の通信端末装置。
【請求項７】
ウェブサイトのアドレスと該ウェブサイトを特定するサイト特定情報とを対応付けて格納する記憶部を備え、上記サイト特定情報が選択されたときに、該サイト特定情報に対応するアドレスによって指定されるウェブサイトに接続する通信端末装置であって、
上記記憶部には、上記サイト特定情報と対応付けて該サイト特定情報で特定されるウェブサイトに最後に接続した最終接続日または最終接続日時が格納されていると共に、上記サイト特定情報と対応付けて該サイト特定情報で特定されるウェブサイトにて上記通信端末装置のユーザが書き込みを行う際に、書き込み者である該ユーザを特定するために使用している書込者特定情報が格納されており、
上記書込者特定情報を表示すると共に、該書込者特定情報で特定されるウェブサイトの上記最終接続日または最終接続日時と現在の日付または日時との差を所定のタイミングで算出した経過時間情報を表示する制御手段を備えていることを特徴とする通信端末装置。
【請求項８】
上記制御手段は、上記サイト特定情報で特定されるウェブサイトに接続したときに、接続したウェブサイトの経過時間情報を該ウェブサイトのウェブページと共に表示することを特徴とする請求の範囲第２項から第７項の何れか１項に記載の通信端末装置。
【請求項９】
上記記憶部には、上記サイト特定情報と対応付けてウェブサイトのメールアドレスが格納されており、
上記制御手段は、受信した電子メールの送信元のメールアドレスが上記記憶部に格納されているメールアドレスと一致した場合に、該一致したメールアドレスに対応するサイト特定情報で特定されるウェブサイトの上記経過時間情報を表示することを特徴とする請求の範囲第２項から第８項の何れか１項に記載の通信端末装置。
【請求項１０】
ウェブサイトのアドレスと該ウェブサイトを特定するサイト特定情報とを対応付けて格納する記憶部を備え、上記サイト特定情報が選択されたときに、該サイト特定情報に対応するアドレスによって指定されるウェブサイトに接続する通信端末装置であって、
上記記憶部には、上記サイト特定情報と対応付けて、該サイト特定情報で特定されるウェブサイトに最後に書き込みを行った最終書込日または最終書込日時が格納されており、
上記サイト特定情報と共に上記最終書込日または最終書込日時を表示する制御手段を備えていることを特徴とする通信端末装置。
【請求項１１】
上記サイト特定情報の中から、上記通信端末装置が接続先とするウェブサイトを特定するサイト特定情報を上記通信端末装置のユーザに選択させる選択手段を備え、
上記制御手段は、上記サイト特定情報と共に、上記選択手段によって選択候補として指定されたサイト特定情報のみの最終書込日または最終書込日時を表示することを特徴とする請求の範囲第１０項に記載の通信端末装置。
【請求項１２】
上記記憶部には、上記サイト特定情報と対応付けて、上記サイト特定情報で特定されるウェブサイトに対して所定の期間内に行われた書き込みの書込日または書込日時と該書込日または書込日時に書き込まれた書込内容とが格納されており、
上記制御手段は、上記サイト特定情報と共に、上記書込日または書込日時と上記書込内容とを表示することを特徴とする請求の範囲第１０項または第１１項に記載の通信端末装置。
【請求項１３】
ウェブサイトのアドレスと該ウェブサイトを特定するサイト特定情報とを対応付けて格納する記憶部を備え、上記サイト特定情報が選択されたときに、該サイト特定情報に対応するアドレスによって指定されるウェブサイトに接続する通信端末装置であって、
上記記憶部には、上記サイト特定情報と対応付けて該サイト特定情報で特定されるウェブサイトに接続した接続日が格納されており、
上記サイト特定情報の中から、上記通信端末装置が接続先とするウェブサイトを特定するサイト特定情報を上記通信端末装置のユーザに選択させる選択手段と、
上記選択手段によって接続先の候補として指定されたサイト特定情報に対応するウェブサイトの上記接続日をカレンダー状に表示する制御手段とを備えていることを特徴とする通信端末装置。
【請求項１４】
上記記憶部に格納されているサイト特定情報で特定されるウェブサイトが更新された日付を当該ウェブサイトのサイト特定情報と対応付けて上記記憶部に格納する履歴取得手段を備え、
上記制御手段は、上記ウェブサイトが更新された日付に、当該更新されたウェブサイトのサイト特定情報を表示したカレンダーを表示することを特徴とする請求の範囲第１項から第１３項の何れか１項に記載の通信端末装置。
【請求項１５】
上記記憶部には、当該記憶部に格納されているサイト特定情報で特定されるウェブサイトが更新されたときの更新内容を示す更新内容情報が当該サイト特定情報と対応付けて格納されており、
上記カレンダー上に表示されたサイト特定情報は、上記通信端末装置のユーザが選択可能に表示されており、
上記制御手段は、上記カレンダー上に表示されたサイト特定情報が選択されたときに、上記記憶部に格納されている上記選択されたサイト特定情報で特定されるウェブサイトの上記更新内容情報を表示することを特徴とする請求の範囲第１４項に記載の通信端末装置。
【請求項１６】
上記記憶部には、上記サイト特定情報と対応付けて所定の期間を示す期間情報が格納されており、
上記記憶部に格納されているサイト特定情報で特定されるウェブサイトへの上記最終接続日または最終接続日時と、上記計時手段より取得した現在の日付または日時との差より算出した経過時間情報と、上記期間情報とを参照し、上記ウェブサイトに接続していない期間が上記所定の期間を経過したことをユーザに報知することを特徴とする請求の範囲第２項から第４項の何れか１項に記載の通信端末装置。
【請求項１７】
請求の範囲第１項から第１６項のいずれか１項に記載の通信端末装置における各手段としてコンピュータを機能させるための制御プログラム。
【請求項１８】
請求の範囲第１７項に記載の制御プログラムを記録したコンピュータ読み取り可能な記録媒体。
【発明の詳細な説明】
【技術分野】
【０００１】
本発明は、ウェブサイトを特定するサイト特定情報が選択されたときに、選択されたサイト特定情報に対応する上記ウェブサイトに接続する通信端末装置等に関する。
【背景技術】
【０００２】
近年、コミュニティ型のウェブサイトとしてソーシャルネットワーキングサイトやブログ形式のウェブサイトが飛躍的に増加している。以下、一例としてグログを取り上げて説明する。【０００３】
ブログとは、「ｗｅｂ」と「ｌｏｇ」(日誌)とを合わせた造語である「ｗｅｂｌｏｇ」(ウェブログ)の略称である。ブログでは、ブログ製作者が世相や時事問題、専門的話題等に関しての独自の情報や見解を掲載するものや、個人的な体験や日記などを掲載しているものが多い。【０００４】
ブログの特徴として、製作者が掲載した記事に対して、読者がコメントを投稿できるコメント投稿機能を備えている点が挙げられる。ブログでは、このコメント投稿機能を備えていることにより、ブログ製作者とブログ読者、或いはブログ読者間のコミュニケーションや情報交換の場を提供している。【０００５】
例えば、趣味や嗜好が共通する者が集うブログや、共通の職場や地域の者が集うブログなど様々なコミュニティが形成されている。このようなブログの広がりに伴い、１人で複数のブログに参加する者も増えている。【０００６】
また、ブログは、記事やコメントの投稿等を非常に容易に行うことができるという特徴を有している。例えば、記事やコメントの投稿を電子メールによって行うことができるシステムが既に提供されている。これにより、パソコンを立ち上げなくても、携帯電話機等のメール機能を用いて記事やコメントの投稿を行うことができ、また外出先であっても記事やコメントの投稿を行うことができる。そのため、最近では携帯電話機等の携帯型端末からブログへのコメント投稿が行われることが多くなっている。【０００７】
ところで、複数のブログに参加する場合、どのブログにいつ接続したかがわからなくなるという問題がある。ブログはウェブ上のコミュニティであるため、参加者の出入りが激しく、コメントの投稿間隔が空いてしまうと、そのコミュニティから去ったものと判断されてしまう。【０００８】
また、ブログの製作者がブログの参加者を繋ぎ止めておくためには、当該ブログに定期的に接続して参加者の書き込みを確認することや、当該ブログを定期的に更新することが重要である。【０００９】
そこで、参加し続けたいブログや自らが管理するブログについては、頻繁にアクセスし、コメントを投稿したり、更新したりする必要がある。しかし、複数のブログに参加している場合には、参加しているブログの全てに頻繁にアクセスすることは難しくなる。特に、携帯電話機からブログにアクセスする場合、一般に通信費用がかかるので、複数のブログに頻繁にアクセスすることは通信費用の面からも難しい。【００１０】
一方、インターネット上にあるウェブサイトに接続できる機能を有するパソコン等の端末では、ウェブサイトに接続し、閲覧や情報の書き込み等を行うプログラム（これを以下ブラウザという）によってウェブサイトの訪問履歴が自動的に記録される。したがって、ユーザは、この履歴情報を参照することで、ユーザがアクセスしたウェブサイトの履歴を確認することができる。【００１１】
ブラウザの履歴情報を利用する技術として、例えば下記の特許文献２が挙げられる。下記の特許文献２では、履歴情報がユーザの嗜好を把握する指標として利用できることに着目し、ユーザの履歴情報をサーバに蓄積してマーケティングに利用する技術が開示されている。【００１２】
また、ブログが広まる以前から、インターネット上における情報交換や意見交換、コミュニケーションの場として利用されているウェブサイトに電子掲示板がある。電子掲示板においても、ブログと同様に、定期的に閲覧し、書き込みを行うことがその電子掲示板に参加し続けるためには必要となる。【００１３】
電子掲示板に関する従来技術として、例えば下記の特許文献１が挙げられる。電子掲示板では、１つの電子掲示板に多数の書き込みがなされる。そのため、書き込まれた多数の情報の中から必要な情報を取り出すことが難しいという問題がある。この問題を解決するために、下記の特許文献１では、書き込まれた情報を電子掲示板に表示した後の経過時間に応じて、書き込まれた情報の表示色を管理サーバが変更するようにしている。これにより、電子掲示板のユーザは、電子掲示板に書き込まれた情報の新旧を区別することができる。【００１４】
以上のように、ブログや電子掲示板等の定期的に訪問する必要があるウェブサイトについて、ユーザが知りたい情報は、各ウェブサイトへの最終訪問時間や最終訪問からの経過時間、或いは最終書き込みからの経過時間である。しかしながら、上記従来の技術では、これらの情報の確認が困難であった。【００１５】
すなわち、インターネットのウェブサイトに接続できる機能を有するパソコン等の端末に搭載されているブラウザでは、履歴リストが表示されるのみである。そのため、上記のような情報を得るために手間がかかり、ユーザが知りたい上記のような情報を認識しにくいものであった。【００１６】
具体的には、従来のブラウザでは、ウェブサイトへのアクセス日時等の履歴情報を所定のデータフォルダに記録しておき、ユーザが履歴情報を閲覧する際には、当該履歴情報が記録されているパソコンのデータフォルダを探し出し、ユーザがアクセスした全ウェブサイトの履歴をデータリストとして同時に表示させている。【００１７】
すなわち、従来のブラウザでは、ユーザが、あるウェブサイトに最後にアクセスした後の経過時間を確認しようとした場合には、経過時間を確認したいウェブサイトを膨大な履歴の中から抽出することさえ困難であった。【００１８】
すなわち、従来のブラウザでは、パソコンに格納された履歴情報を見つけ出し表示させることが必要である。そして、履歴情報を見つけた後に、ウェブサイトへの最終訪問、或いは最終書き込みからの経過時間を確認することはユーザにとってわずらわしい作業である。そのため、最終訪問からの経過時間が長くなりすぎたウェブサイトをユーザが把握することは困難であった。その結果、ユーザが、最終接続日時からの経過時間が長くなったウェブサイトに気付かず、放置してしまうという問題があった。
【特許文献１】日本国公開特許公報「特開平４−６１４４６号公報（公開日：１９９２年２月２７日）」
【特許文献２】日本国公開特許公報「特開２００２−７３４５８（２００２年３月１２日）」
【特許文献３】日本国公開特許公報「特開２００５−３３９３５６（２００５年１２月８日）」
【発明の開示】
【００１９】
本発明は、ユーザが、最終接続日時からの経過時間が長くなったウェブサイトに気付かず、放置してしまうという課題に鑑みてなされたものであり、その目的は、ウェブサイトの更新忘れやコメントの付け忘れを防ぐことができる通信端末装置等を実現することにある。
【００２０】
本発明の通信端末装置は、上記課題を解決するために、ウェブサイトのアドレスと該ウェブサイトを特定するサイト特定情報とを対応付けて格納する記憶部を備え、上記サイト特定情報が選択されたときに、該サイト特定情報に対応するアドレスによって指定されるウェブサイトに接続する通信端末装置であって、上記記憶部には、上記サイト特定情報と対応付けて該サイト特定情報で特定されるウェブサイトに最後に接続した最終接続日または最終接続日時が格納されており、上記サイト特定情報の中から、上記通信端末装置が接続先とするウェブサイトを特定するサイト特定情報を上記通信端末装置のユーザに選択させる選択手段と、上記サイト特定情報を表示すると共に、上記選択手段によって接続先の候補として指定されたサイト特定情報に対応するウェブサイトのみの上記最終接続日または最終接続日時を表示する制御手段とを備えていることを特徴としている。
【００２１】
上記の構成によれば、ウェブサイトを特定するサイト特定情報が表示されると共に、表示されたサイト特定情報を選択手段にて接続先の候補として指定することにより、接続先の候補として指定したウェブサイトの最終接続日または最終接続日時が表示される。
【００２２】
そのため、上記通信端末装置のユーザは、サイト特定情報で特定されるウェブサイトに最後に接続した日付、または最後に接続した日付及び時刻を容易に確認することができ、最終接続日時からの経過時間が長くなりすぎたウェブサイトを容易に認識することができる。それゆえ、上記構成によれば、更新忘れやコメントの付け忘れを防ぐことができる。
【００２３】
また、上記の構成によれば、記憶部に格納されている最終接続日または最終接続日時を表示するので、最終接続日または最終接続日時を表示するときにウェブサイトに接続する必要がない。したがって、ユーザは、最終接続日や最終接続日時を確認するときにインターネットに接続する必要がなく、ゆえに通信費用が発生することもない。
【００２４】
なお、最終接続日や最終接続日時は、上記ウェブサイトに接続したときに、例えばタイマーのような計時手段から取得すればよい。また、上記サイト特定情報は、ウェブサイトを特定できるものであればよく、例えばウェブサイトのタイトルをサイト特定情報とすることができる。また、サイト特定情報として、アイコン等の画像や当該ウェブサイトのアドレスを用いてもよい。
【００２５】
ここで、アドレスとは、ウェブサイトの所在を示し、該ウェブサイトに接続するために必要な情報を指し、例えばＵＲＬ（Uniform Resource Locator）やＩＰ（Internet Protocol）アドレス等も上記アドレスに含まれる。
【００２６】
また、本発明の通信端末装置は、上記課題を解決するために、ウェブサイトのアドレスと該ウェブサイトを特定するサイト特定情報とを対応付けて格納する記憶部を備え、上記サイト特定情報が選択されたときに、該サイト特定情報に対応するアドレスによって指定されるウェブサイトに接続する通信端末装置であって、上記記憶部には、上記サイト特定情報と対応付けて該サイト特定情報で特定されるウェブサイトに最後に接続した最終接続日または最終接続日時が格納されており、上記サイト特定情報の中から、上記通信端末装置が接続先とするウェブサイトを特定するサイト特定情報を上記通信端末装置のユーザに選択させる選択手段と、現在の日付または日時を計時する計時手段と、上記サイト特定情報を表示すると共に、上記選択手段によって接続先の候補として指定されたサイト特定情報に対応するウェブサイトの上記最終接続日または最終接続日時と、上記計時手段より取得した現在の日付または日時との差を所定のタイミングで算出した経過時間情報を表示する制御手段とを備えていることを特徴としている。
【００２７】
上記の構成によれば、ウェブサイトを特定するサイト特定情報と共に、該サイト特定情報で特定されるウェブサイトの最終接続日または最終接続日時からの経過時間を示す経過時間情報が表示される。これにより、上記通信端末装置のユーザは、サイト特定情報で特定されるウェブサイトに最後に接続した後の経過時間を容易に確認することができる。
【００２８】
したがって、上記通信端末装置のユーザは、最終接続した後の経過時間が長くなりすぎたウェブサイトを容易に認識することができ、それゆえ更新忘れやコメントの付け忘れを防ぐことができる。
【００２９】
また、上記の構成によれば、記憶部に格納されている最終接続日または最終接続日時と現在の日付または日時とから経過時間情報を求めている。すなわち、経過時間情報を表示するときにウェブサイトに接続する必要がないので、最終接続からの経過時間を確認するときにインターネットに接続する通信費用が発生することもない。
【００３０】
なお、計時手段としては、タイマー等を適用することもできる。また、最終接続からの経過時間は、例えばサイト特定情報を表示するときに算出するようにしてもよいし、例えば１２時間おきや１日おきといった所定の時間間隔で算出するようにしてもよい。
【００３１】
そして、上記経過時間情報は、最終接続からの経過時間がわかるものであればよく、数字で表示してもよいし、経過時間の長短を示す画像等で表示してもよい。経過時間の長短を示す画像としては、例えば、経過時間に応じて色が変わるマークや、経過時間に応じて形状が変化するアイコン等が挙げられる。
【００３２】
また、上記経過時間に応じて、サイト特定情報の表示色を変えたり、表示内容を変更したりしてもよい。これにより、ユーザは、サイト特定情報を見るだけで上記経過時間を認識することができる。例えば、上記サイト特定情報がアイコンである場合には、アイコンを変形させたり、色を変えたりすることによって、ユーザに上記経過時間を認識させることができる。
【００３３】
さらに、上記サイト特定情報の表示方法としては、例えばサイト特定情報を一覧表示する方法が挙げられる。一覧表示することにより、ユーザは、複数のサイト特定情報の経過時間情報を容易に確認することができる。さらに、特に注目しているウェブサイトについては、上記通信端末装置の表示画面の背景として、アイコン等のサイト特定情報を表示するとよい。これにより、ユーザは、特に注目しているウェブサイトの経過時間情報をより容易に確認することができ、ウェブサイトの更新忘れやコメントの付け忘れを、より確実に防ぐことができる。
【００３４】
なお、上記経過時間情報、最終接続日、及び最終接続日時は、記憶部に格納されている各サイト特定情報で特定されるウェブサイトのそれぞれについて表示してもよいし、接続先の候補として指定または選択されたサイト特定情報で特定されるウェブサイトのみについて表示してもよい。
【００３５】
記憶部に格納されている全てのサイト特定情報で特定されるウェブサイトのそれぞれについて経過時間情報等を表示する場合、ユーザは、各ウェブサイトの上記経過時間情報、最終接続日、あるいは最終接続日時を一度に確認できるという利点がある。
【００３６】
一方、接続先の候補として指定されたサイト特定情報で特定されるウェブサイトのみについて経過時間情報等を表示する場合、通信端末装置の表示画面が小さい場合であっても、経過時間情報をユーザが閲覧しやすいという利点がある。
【００３７】
また、本発明の通信端末装置は、上記課題を解決するために、ウェブサイトのアドレスと該ウェブサイトを特定するサイト特定情報とを対応付けて格納する記憶部を備え、上記サイト特定情報が選択されたときに、該サイト特定情報に対応するアドレスによって指定されるウェブサイトに接続する通信端末装置であって、上記記憶部には、上記サイト特定情報と対応付けて該サイト特定情報で特定されるウェブサイトに最後に接続した最終接続日または最終接続日時が格納されていると共に、上記サイト特定情報と対応付けて該サイト特定情報で特定されるウェブサイトにて上記通信端末装置のユーザが書き込みを行う際に、書き込み者である該ユーザを特定するために使用している書込者特定情報が格納されており、上記書込者特定情報を表示すると共に、該書込者特定情報で特定されるウェブサイトの上記最終接続日または最終接続日時と現在の日付または日時との差を所定のタイミングで算出した経過時間情報を表示する制御手段を備えていることを特徴としている。
【００３８】
上記の構成によれば、各ウェブサイトの書込者特定情報と経過時間情報とが表示されるので、上記通信端末装置のユーザは、サイト特定情報で特定されるウェブサイトに最後に接続した後の経過時間を容易に確認することができる。
【００３９】
したがって、上記通信端末装置のユーザは、最終接続からの経過時間が長くなりすぎたウェブサイトを容易に認識することができ、それゆえ更新忘れやコメントの付け忘れを防ぐことができる。
【００４０】
ここで、電子掲示板やブログ等のウェブサイトに書き込みを行う場合、書き込み者を特定するための書込者特定情報としてニックネーム（ハンドルネーム）を使用することが一般的である。そして、更新忘れやコメントの付け忘れが特に問題となるのは、電子掲示板やブログ等のような書き込みを行うことのできるウェブサイトである。
【００４１】
すなわち、上記構成によれば、上記通信端末装置のユーザは、特に更新忘れやコメントの付け忘れが問題となるウェブサイトの経過時間情報を容易に確認することができる。また、ユーザがどのウェブサイトでどの書込者特定情報を使用していたかを失念してしまった場合でも、表示されている書込者特定情報を用いてスムーズに書き込みを行うことができる。
【００４２】
また、本発明の通信端末装置は、上記課題を解決するために、ウェブサイトのアドレスと該ウェブサイトを特定するサイト特定情報とを対応付けて格納する記憶部を備え、上記サイト特定情報が選択されたときに、該サイト特定情報に対応するアドレスによって指定されるウェブサイトに接続する通信端末装置であって、上記記憶部には、上記サイト特定情報と対応付けて、該サイト特定情報で特定されるウェブサイトに最後に書き込みを行った最終書込日または最終書込日時が格納されており、上記サイト特定情報と共に上記最終書込日または最終書込日時を表示する制御手段を備えていることを特徴としている。
【００４３】
ウェブサイトの中には、電子掲示板やブログ等のように、ユーザがコメント等を書き込むことができるものがある。上記の構成によれば、ウェブサイトに最後に書き込みを行った最終書込日または最終書込日時がサイト特定情報と共に表示されるので、通信端末装置のユーザは、各ウェブサイトでの最終書込日または最終書込日時を容易に把握することができる。また、最終書込日または最終書込日時は記憶部に格納されているので、最終書込日または最終書込日時を表示するときにウェブサイトに接続する必要がない。
【００４４】
したがって、上記通信端末装置のユーザは、最終書込からの経過時間が長くなりすぎたウェブサイトを容易に確認することができ、それゆえウェブサイトの更新忘れやコメントの付け忘れを防ぐことができる。
【００４５】
また、本発明の通信端末装置は、上記課題を解決するために、ウェブサイトのアドレスと該ウェブサイトを特定するサイト特定情報とを対応付けて格納する記憶部を備え、上記サイト特定情報が選択されたときに、該サイト特定情報に対応するアドレスによって指定されるウェブサイトに接続する通信端末装置であって、上記記憶部には、上記サイト特定情報と対応付けて該サイト特定情報で特定されるウェブサイトに接続した接続日が格納されており、上記サイト特定情報の中から、上記通信端末装置が接続先とするウェブサイトを特定するサイト特定情報を上記通信端末装置のユーザに選択させる選択手段と、上記選択手段によって接続先の候補として指定されたサイト特定情報に対応するウェブサイトの上記接続日をカレンダー状に表示する制御手段とを備えていることを特徴としている。
【００４６】
上記の構成によれば、ウェブサイトを特定するサイト特定情報が表示される。そして、表示されたサイト特定情報を選択手段にて接続先の候補として指定することにより、接続先の候補として指定したウェブサイトに過去に接続した接続日がカレンダー状に表示される。
【００４７】
これにより、上記通信端末装置のユーザは、サイト特定情報で特定されるウェブサイトに最後に接続した日付や、当該ウェブサイトにどれくらいの頻度で接続していたのかを容易に確認することができる。したがって、上記通信端末装置のユーザは、最終接続日時からの経過時間が長くなりすぎたウェブサイトを容易に認識することができ、それゆえ更新忘れやコメントの付け忘れを防ぐことができる。
【００４８】
また、上記の構成によれば、記憶部に格納されている接続日を表示するので、接続日を表示するときにウェブサイトに接続する必要がない。したがって、ユーザは、接続日を確認するときにインターネットに接続する必要がなく、ゆえに通信費用が発生することもない。
【００４９】
なお、接続日をカレンダー状に表示する態様としては、例えば上記接続日が含まれる月の日付をカレンダーとして表示し、表示された日付に接続日を示すマーク等を付して表示する態様が挙げられる。表示するカレンダーは、表示する接続日が含まれており、ユーザが閲覧しやすいものであればよく、１ヶ月のカレンダーでもよいし、２ヶ月や６ヶ月、１年のカレンダーでもよい。また、接続日は、上記ウェブサイトに接続したときに上記通信端末装置内の例えばタイマーのような計時手段から取得すればよい。
【００５０】
本発明の他の目的、特徴、および優れた点は、以下に示す記載によって十分分かるであろう。また、本発明の利点は、添付図面を参照した次の説明によって明白になるであろう。
【図面の簡単な説明】
【００５１】
【図１】本発明の実施形態を示すものであり、本発明の携帯電話機の要部構成を示すブロック図である。
【図２】上記携帯電話機で表示されるお気に入り画面の一例を示す図である。
【図３】上記携帯電話機で表示されるお気に入り画面の他の例を示す図である。
【図４】上記携帯電話機の表示画面の一例を示す図であり、上記お気に入り画面からブログ（２）を選択し、ブログ（２）にアクセスした状態を示す図である。
【図５】上記携帯電話機の表示画面の一例を示す図であり、ニックネームリストの表示例を示す図である。
【図６】上記携帯電話機の表示画面の一例を示す図であり、待ち受け画面の一例を示す図である。
【図７】上記携帯電話機の表示画面の一例を示す図であり、ブログからのメール着信時の表示例を示す図である。
【図８】上記携帯電話機における、お気に入り画面表示処理の一例を示すフローチャートである。
【図９】上記携帯電話機が格納している、お気に入り管理テーブルの一例を示す図である。
【図１０】上記携帯電話機が格納しているコメント管理テーブルの一例を示す図である。
【図１１】上記携帯電話機における、ニックネームリスト表示処理の一例を示すフローチャートである。
【図１２】上記携帯電話機における、ブログ画面表示処理の一例を示すフローチャートである。
【図１３】上記携帯電話機における、メール着信処理の一例を示すフローチャートである。
【図１４】上記携帯電話機が格納している、お気に入り管理テーブルの他の例を示す図である。
【図１５】本発明の変形例を示すものであり、カーソルが合わされたタイトルに対応するウェブサイトへの接続履歴をカレンダー上で表示する場合における表示画面の一例を示す図である。
【図１６】上記変形例におけるカレンダー表示の一例を示す図である。
【図１７】上記変形例における更新内容の表示例を示す図である。
【図１８】上記変形例において、更新履歴のみを表示させた履歴表示画面の一例を示す図である。
【図１９】上記カレンダーに表示されたアイコンの示す更新内容を、カレンダーと共に表示した画面表示例を示す図である。
【図２０】上記変形例における待ち受け画面の一例を示す図である。
【図２１】上記変形例において、ユーザにリマインダの期間が経過したことを示すメッセージの表示例を示す図である。
【符号の説明】
【００５２】
１    携帯電話機
５    汎用メモリ（記憶部）
６    制御部（制御手段、履歴取得手段）
１５  お気に入り管理テーブル
１６  コメント管理テーブル
２１  表示画面
２２  経過時間マーク
２３  カーソル（選択手段）
３１  カレンダー
３２  アイコン（サイト特定情報）
３３  カレンダー
【発明を実施するための最良の形態】
【００５３】
本発明の一実施形態について図１から図１４に基づいて説明すると以下の通りである。図１は、本実施形態の携帯電話機の要部構成を示すブロック図である。図示のように、携帯電話機１は、撮像部２、映像信号処理部３、操作部４、汎用メモリ（記憶部）５、制御部（制御手段）６、無線部７、通信制御部８、表示処理部（制御手段）９、音声処理部１０、プログラムメモリ１１、表示部１２、音声出力部１３、及び音声入力部１４を備えている。【００５４】
なお、本実施形態では、本発明の通信端末装置を携帯電話機に適用した例を説明するが、この例に限られず、例えば、パソコン、ＰＤＡ（Personal Digital Assistance）、ＰＨＳ（Personal Handy Phone System）等の機器に適用することができる。【００５５】
撮像部２は、写真撮影を行うための構成であり、図示しないレンズを介して受光素子に取り込んだ信号を映像信号処理部３に送る。そして、映像信号処理部３は、撮像部２から受け取った信号を映像信号として制御部６に送る。なお、撮像部２及び映像信号処理部３から得られる映像信号は、必要に応じて静止画像情報または動画像情報として汎用メモリ５に蓄えられる。ここで蓄えられた静止画像情報または動画像情報は、表示部１２に表示したり、通信制御部８や無線部７などの通信手段を介して他の通信端末に送出したりすることができる。【００５６】
操作部４は、携帯電話機１の操作を行うためのものであり、表示部１２に表示された項目を選択するための選択キーや選択した項目を決定する決定キー、数字や文字を入力するキー等を含む入力キー群で構成されている。操作部４は、入力キー群への入力を入力信号として制御部６に送る。【００５７】
汎用メモリ５は、携帯電話機１で使用する各種データを記憶するものである。汎用メモリ５には、図示のように、お気に入り管理テーブル１５、及びコメント管理テーブル１６が格納されている。お気に入り管理テーブル１５、及びコメント管理テーブル１６の詳細については後述する。また、汎用メモリ５には、撮像部２及び映像信号処理部３から得られる静止画像情報や動画像情報も格納される。【００５８】
制御部６は、携帯電話機１の各構成要素の動作を統括して制御する。なお、制御部６が実行する制御の詳細については後述する。【００５９】
無線部７は、電波の送受信を行う。具体的には、メールの送受信や携帯電話網を介しての通話、ウェブサイトへのアクセス等に伴う電波の送受信を行う。通信制御部８は、制御部６の指示に従って無線部７から送信するデータを生成する。なお、無線部７から送信するデータとは、メールや通話音声、ウェブサイトへのアクセスに必要なＵＲＬ等のデータを指す。【００６０】
表示処理部９は、制御部６の指示に従って表示データを生成し、生成した表示データを表示部１２に送ることによって、表示部１２に画像（静止画像または動画像）を表示させる。【００６１】
音声処理部１０は、制御部６の指示に従って音声データを生成し、生成した音声データを音声出力部１３に送ることによって、音声出力部１３に音声を出力させる。また、音声処理部１０は、音声入力部１４に入力された音声を制御部６が認識できるデータ形式に変換して制御部６に送る。【００６２】
プログラムメモリ１１は、制御部６で使用される各種プログラムを記憶している。また、表示部１２は、図示しない表示画面を備え、表示処理部９から受け取った表示データを該表示画面に表示する。そして、音声出力部１３は、図示しないスピーカーを備え、音声処理部１０から受け取った音声データを該スピーカーから出力する。そして、音声入力部１４は、図示しないマイクを備え、該マイクに入力された音声を音声信号に変換して音声処理部１０に送る。【００６３】
本実施形態の携帯電話機１は、以上のような構成を備え、通話、ウェブサイトの閲覧、電子メールの送受信、写真撮影等を行うことができるようになっている。【００６４】
また、携帯電話機１は、お気に入りと呼ばれる機能を備えている。お気に入り機能は、ブックマーク機能とも呼ばれ、携帯電話機１のユーザがウェブサイトをお気に入りに登録しておくことで、ＵＲＬを入力しなくても当該ウェブサイトにアクセスできるという機能である。【００６５】
携帯電話機１では、操作部４を操作することで、お気に入りに登録したウェブサイトのタイトルを一覧表示するお気に入り画面を表示させることができるようになっている。そして、お気に入り画面に表示されているウェブサイトのタイトルを、操作部４を操作して選択することによって、当該ウェブサイトにアクセスできるようになっている。【００６６】
図２は、お気に入り画面の表示例である。図示のように、お気に入り画面は、領域Ａ及び領域Ｂの２つの領域に分割されている。領域Ａには、「検索トップページ」、「スポーツニュース」、「ブログ（１）」等の、携帯電話機１のユーザがお気に入り登録したウェブサイトのタイトル一覧が表示されている。【００６７】
また、各ウェブサイトのタイトルの左側には、経過時間マーク２２が付されている。図示のように、経過時間マーク２２は様々な色で表示され、経過時間マーク２２の色が当該ウェブサイトへの最終訪問日時からの経過時間を示している。これにより、経過時間マーク２２の色から、おおよその経過時間を知ることができる。【００６８】
例えば、最終訪問日時からの経過時間が２４時間以内であれば青色の経過時間マーク２２、７２時間以内であれば黄色の経過時間マーク２２、１週間以上経過している場合は赤色の経過時間マーク２２、のように設定した場合を考える。この場合には、青色の経過時間マーク２２が付されたタイトルのウェブサイトは、最終訪問日時からの経過時間が２４時間以内であることが一目でわかる。【００６９】
そして、領域Ａには、ウェブサイトのタイトルの１つに重畳してカーソル（選択手段）２３が表示されている。ユーザは、操作部４を操作することによって、カーソル２３を表示画面上で移動させることができる。図２の例では、ブログ（２）にカーソル２３が合わされている。【００７０】
携帯電話機１では、ウェブサイトのタイトルにカーソル２３を合わせて操作部４の決定キーを操作することにより、カーソル２３が合わされたウェブサイトにインターネットを介してアクセスするようになっている。すなわち、携帯電話機１では、カーソル２３を合わせることで、選択候補を指定し、指定した選択候補にカーソルを合わせた状態で決定キーを操作することによって上記指定した選択候補を選択するようになっている。【００７１】
なお、ウェブサイトのタイトルから選択候補を指定する方法は、カーソル２３を用いる方法に限られない。例えば、選択候補のタイトルを他のタイトルよりも拡大して表示したり、選択候補以外のタイトルの表示色を選択候補のタイトルの表示色と変えたりする方法でもよい。【００７２】
また、カーソル２３をウェブサイトのタイトルに合わせると、カーソル２３の表示色は、当該ウェブサイトのタイトルに付されている経過時間マーク２２と同じ色に遷移する。すなわち、カーソル２３は、カーソルが合わされているタイトルに対応するウェブサイトへの最終接続日時からの経過時間に応じた表示態様で表示される。【００７３】
これにより、ユーザは、最終接続日時からの経過時間をより認識しやすくなるので好ましい。なお、携帯電話機１において、カーソル２３と経過時間マーク２２とを同じ色で表示することは、必須ではない。【００７４】
ここで、携帯電話機１では、カーソル２３が合わされているウェブサイトの最終接続日時と、最終接続日時からの経過時間とが表示される。例えば、図２の例では、最終接続日時が１２／１９、１２：１０と表示されており、最終接続日時からの経過時間が１日、１０時間３１分と表示されている。したがって、この例では、１２／１９の１２：１０にブログ（２）に接続し、その後１日と１０時間３１分の間はブログ（２）に接続していないことがわかる。【００７５】
このように、携帯電話機１では、ウェブサイトにアクセスしなくとも、当該ウェブサイトに最後に接続した後の経過時間が表示されるので、この経過時間を目安にして、定期的にお気に入りのウェブサイトにアクセスすることができる。【００７６】
なお、図２では、最終接続日時を表示している態様を示しているが、最終接続日時からの経過時間のみを表示し、最終接続日時を表示しない構成とすることもできる。しかしながら、最終接続日時を表示することによって、ユーザは何日の何時ごろに当該ウェブサイトにアクセスしたかを容易に認識することができるので、最終接続日時も表示することが好ましい。【００７７】
また、図２では、最終接続日時からの経過時間を数値で表示しているが、最終接続日時からの経過時間の表示方法は、最終接続日時からの経過時間をユーザが認識できる態様であればよく、この例に限られない。例えば、最終接続日時からの経過時間を示すアイコン等の画像を表示することで、ユーザに最終接続日時からの経過時間を認識させるようにしてもよい。【００７８】
また、図示のように、領域Ｂには、ニックネームが表示されている。ニックネームは、ハンドルネームとも呼ばれ、ユーザがウェブサイトに書き込みを行う際に、該ユーザを特定するために使用している名前である。近年、インターネット上において、掲示板やブログ等の様々なコミュニケーションの場が提供されるようになっており、複数のブログや掲示板にそれぞれ異なるニックネーム（ハンドルネーム）で書き込みを行うことも珍しくはない。【００７９】
ここで、複数のブログや掲示板にそれぞれ異なるニックネームで書き込みを行っている者は、どのブログや掲示板でどのニックネームを使用していたかを失念してしまうことがある。そして、従来は、ブログや掲示板で使用していたニックネームを確認するためには、当該ブログや掲示板にアクセスして確認する必要があった。【００８０】
そこで、携帯電話機１では、お気に入りに登録したウェブサイトのそれぞれについて、ユーザがそのウェブサイトで使用しているニックネームを登録し、お気に入り画面に表示している。これにより、ユーザは、当該ウェブサイトにアクセスしなくとも、そのウェブサイトで使用しているニックネームをお気に入り画面から確認することができる。【００８１】
さらに、領域Ｂには、最終コメントの日時、及び最終コメントの内容が表示される。最終コメントは、ユーザがウェブサイトで最後に書き込みをした内容が表示される。これにより、ユーザは、当該ウェブサイトで最後にどのような書き込みをしたかを、該ウェブサイトにアクセスせずに確認することができる。【００８２】
また、お気に入り画面は、図２の例に限られず、例えば図３に示すような画面としてもよい。図３は、お気に入り画面の他の例を示す図である。図３に示すお気に入り画面は、領域Ａ’、領域Ａ”、及び領域Ｂの３つの領域に分割されている。【００８３】
領域Ａ’及び領域Ａ”は、図２の領域Ａを分割したものであり、領域Ａ”には、領域Ａに表示されているウェブサイトのうち、ブログや掲示板等のコメントを書き込む態様のウェブサイトのみが表示される。これにより、ユーザは、お気に入り登録したウェブサイトの中から、書き込みを行う必要のあるブログや掲示板等を認識し、選択することが容易になる。【００８４】
なお、図３の例では、画面を区分することで、書き込みを行う必要のあるブログや掲示板等と、それ以外のウェブサイトとを区別しているが、書き込みを行う必要のあるブログや掲示板等と、それ以外のウェブサイトとを区別して表示する方法は、この例に限られない。例えば、ブログや掲示板等とそれ以外のウェブサイトとを別の色で表示して区別してもよい。【００８５】
次に、ブログ等の書き込みが可能なウェブサイトにアクセスした場合の表示例について図４に基づいて説明する。図４は、図２、あるいは図３に示すお気に入り画面からブログ（２）を選択し、ブログ（２）にアクセスしたときに表示される画面の一例を示している。【００８６】
図示のように、ブログ（２）にアクセスしたときには、表示画面２１は上下に２分割されている。そして、２分割された表示画面２１の上側の領域にはブログ（２）が表示されており、下側の領域にはブログ（２）への前回訪問日時、前回訪問日時から今回の訪問までの経過時間、ユーザのブログ（２）でのニックネーム、及びユーザのブログ（２）におけるコメントの履歴が表示されている。【００８７】
下側の領域に表示されているブログ（２）への前回訪問日時等は、所定の時間が経過した後に、自動的に表示が消えて、表示画面２１の全面にブログ（２）が表示されるようになっている。なお、ユーザの操作入力によって、画面から表示が消えた前回訪問日時等を再度表示させることもできるし、上記所定の時間が経過するより前に前回訪問日時等の表示を消すこともできる。【００８８】
続いて、ニックネームリストについて図５に基づいて説明する。図５は、ニックネームリストの表示例を示す図である。ニックネームリストとは、お気に入りに登録しているウェブサイトのうち、ユーザがニックネームを登録しているウェブサイトについて、当該ウェブサイトのタイトルとニックネームとを一覧表示したものである。【００８９】
図示の例では、表示画面２１が上下に２分割されており、上側の画面には、お気に入りに登録している３つのウェブサイト（ブログ（１）〜ブログ（３））のタイトルが表示されていると共に、タイトル毎にニックネームが表示されている。【００９０】
また、図２や図３に示すお気に入り画面と同様に、各ウェブサイトには経過時間マーク２２が付されている。また、ウェブサイトにカーソル２３を合わせると、カーソル２３はそのウェブサイトに付されている経過時間マーク２２の色と同色に変化するようになっている。【００９１】
つまり、ニックネームリストにおいても、各ウェブサイトへの最終訪問日時からの経過時間が色分け表示されており、これにより最終訪問日時からのおおまかな経過時間が一目でわかるようになっている。【００９２】
さらに、２分割された下側の画面には、上側の画面でカーソル２３が合わされているタイトルのウェブサイトに最後にコメントを書き込んだ日時（最終コメント日時）と、そのコメントの内容とが表示される。図示の例では、上側の画面でブログ（１）にカーソル２３が合わされているので、下側の画面には、ブログ（１）における最終コメント日時及びコメントが表示される。【００９３】
このニックネームリストを表示することにより、ブログにインターネットを介してアクセスしなくとも、ユーザが各ブログで使用しているニックネームを確認できる。そして、上記ニックネームリストを表示することにより、y−ザは、各ブログで最後にどのようなコメントを残したかを、当該ブログにカーソル２３を合わせるという簡単な操作で確認することができる。【００９４】
また、携帯電話機１では、ニックネームリストに表示されているタイトルを選択することで、該選択したタイトルに対応するウェブサイトにアクセスできるようになっている。したがって、ユーザは、ニックネームリストを参照して各ウェブサイトで使用しているニックネーム、最終コメント日時、及びコメントを確認した上で、ニックネームリストから所望のウェブサイトにアクセスすることができる。【００９５】
次に、携帯電話機１の待ち受け画面の表示例について図６に基づいて説明する。図６は、待ち受け画面の一例を示す図である。図示のように、待ち受け画面には、図２〜図３や図５で示した経過時間マーク２２が表示されている。この経過時間マーク２２は、お気に入りに登録したウェブサイトの中からユーザが予め選択したウェブサイトの最終接続からの経過時間を示している。【００９６】
このように、待ち受け画面に経過時間マーク２２を表示することにより、ユーザは、携帯電話機１の待ち受け画面を見るだけで予め選択したウェブサイトの最終接続からのおおまかな経過時間を知ることができる。これにより、特に定期的にアクセスする必要があるウェブサイトへのアクセス忘れを防ぐことができる。【００９７】
いつでもユーザが経過時間を確認できるように、経過時間マーク２２は、表示画面２１に常に表示しておくことが好ましい。そのため、経過時間マーク２２の表示位置は特に限定されないが、例えばピクト行に表示することが好ましい。【００９８】
図６では、経過時間マーク２２をピクト行に表示する例を示している。なお、ピクト行とは、携帯電話機１の待ち受け画面において電池残量や電波状態などを表示する行のことである。ピクト行は、表示画面２１に常に表示されており、また表示画面２１の最上部に位置しているのでユーザの目に付きやすい。そのため、経過時間マーク２２を表示する位置として好適である。【００９９】
また、例えば、折りたたみ式の携帯電話機には、メインのディスプレイの他に、携帯電話機を折りたたんだままでも視認できる位置にサブディスプレイを備えているものがある。携帯電話機がサブディスプレイを備えている場合、待ち受け画面の代わりにサブディスプレイに経過時間マーク２２を表示するようにしてもよい。サブディスプレイに経過時間マーク２２を表示することによって、ユーザは、携帯電話機を折りたたんだままの状態で、予め選択したウェブサイトの最終接続からの経過時間を知ることができる。【０１００】
続いて、図７に基づいてメール着信時の画面表示について説明する。図７はブログからメールを受信した時の携帯電話機１における表示画面の一例を示す図である。なお、ここでは、ブログのコンテンツが更新されたときや、ブログに新たな書き込みがあったときに、ブログから携帯電話機１にメールが送られてくることを想定している。【０１０１】
図示のように、メール着信時には、携帯電話機１の表示画面２１には、メール着信を示す文字及び画像に加え、メール送信元のブログの前回訪問日時、最終接続日時からの経過時間、ニックネーム、コメント、及びコメント日時が表示される。【０１０２】
これにより、ユーザは、メール送信元のブログにおけるこれまでの書き込みの経緯を踏まえた上で受信したメールの確認ができ、これらの経緯を参考にしながら、メール送信元のブログに投稿された書き込みに対して遅延なくコメントを書き込むことができる。【０１０３】
続いて、図２や図３に示すお気に入り画面の表示処理について、図８に基づいて説明する。図８は、お気に入り画面表示処理の一例を示すフローチャートである。ユーザが操作部４を操作してお気に入り画面の表示指示を入力すると、お気に入り画面の表示指示は制御部６に送られる。制御部６は、お気に入り画面の表示指示を受けると、汎用メモリ５のお気に入り管理テーブル１５からデータを読み出す（Ｓ１１）。【０１０４】
ここで、お気に入り管理テーブル１５について図９に基づいて説明する。図９は、お気に入り管理テーブル１５の一例を示す図である。図示のように、お気に入り管理テーブル１５には、ウェブサイトのタイトル（サイト特定情報）とＵＲＬ（アドレス）と最終接続日時とブログフラグ（書込可否情報）とニックネーム（書込者特定情報）とピクト行表示（常時表示情報）とが対応付けて格納されている。お気に入り管理テーブル１５に格納されている各データは、ユーザが操作部４を操作することで追加、修正、及び削除が可能である。制御部６は、このお気に入り管理テーブル１５を用いてお気に入り画面の表示を行う。【０１０５】
タイトルは、ウェブサイトを特定するための情報であり、制御部６によって表示画面２１に表示される。そして、制御部６は、表示したタイトルが選択されたことを確認するとそのタイトルに対応するＵＲＬにアクセスするように通信制御部８及び無線部７に指示を送る。これにより、当該ウェブサイトにアクセスすることができる。【０１０６】
また、制御部６は、お気に入り登録されているウェブサイトにアクセスしたときに、接続日時をお気に入り管理テーブル１５の最終接続日時欄に上書き記憶する。これにより、最終接続日時欄には、ユーザが最後にアクセスした時の接続日時、すなわち最終接続日時が記憶されることになる。【０１０７】
ブログフラグは、お気に入り管理テーブル１５に登録されている各ウェブサイトが、ブログや掲示板等のコメント書き込み式のウェブサイトであるか否かを示している。図示の例では、ブログフラグ欄が「１」のウェブサイトはコメント書き込み可能なウェブサイトであり、ブログフラグ欄が「０」のウェブサイトはそれ以外のウェブサイトであることを示している。ブログフラグの「０」、「１」はユーザが操作部４から操作入力することによって適宜設定することができる。【０１０８】
なお、携帯電話機１を用いてウェブサイトに書き込みが行われたときに、制御部６が当該ウェブサイトのブログフラグを「１」に設定するようにしてもよい。この場合には、ユーザは、ブログフラグの設定を行う必要がなくなる。【０１０９】
また、ニックネーム欄には、各ウェブサイトでユーザが使用しているニックネームが格納されており、このニックネームが図２〜図５、図７等の画面表示を行う際に読み出される。ニックネームについても、ブログフラグと同様に、ユーザが適宜設定・変更することができる。【０１１０】
そして、ピクト行表示欄は、図６に示すピクト行表示を行うか否かを示している。図示の例では、ピクト行表示欄が「０」のウェブサイトはピクト行に経過時間マーク２２を表示せず、ピクト行表示欄が「１」のウェブサイトはピクト行に経過時間マーク２２を表示することを示している。ピクト行表示の「０」、「１」はユーザが操作部４から操作入力することによって適宜設定することができる。【０１１１】
携帯電話機１では、経過時間マーク２２のピクト行表示を行うウェブサイトが一つである例を想定しているが、複数のウェブサイトについて経過時間マーク２２のピクト行表示を行うようにしてもよい。この場合、表示画面２１に表示する経過時間マーク２２の位置を変える等、どの経過時間マーク２２がどのウェブサイトの経過時間を示しているかがわかるように表示する。【０１１２】
制御部６は、お気に入り管理テーブル１５のピクト行表示欄が「１」となっているウェブサイトの最終接続日時からの経過時間を所定の時間間隔ごとに取得し、経過時間マーク２２を更新する。経過時間マーク２２を更新する時間間隔は、特に限定されず、例えば６時間おきや１２時間おきといった一定の時間間隔に設定すればよい。【０１１３】
なお、上記Ｓ１１にて制御部６が読み出すデータは、お気に入り管理テーブル１５の一番上の行に格納されているデータであり、図９の例では「検索サイト（１）」のタイトル、ＵＲＬ等のデータを読み出す。すなわち、ここでは、お気に入り管理テーブル１５の格納順にお気に入り画面の表示処理を進めていく例を示している。なお、表示処理の順番は、最終的にお気に入りに登録されている全てのウェブサイトについて表示処理が行われるようになっていればよく、特に限定されない。【０１１４】
ここで、フローチャートの説明に戻る。制御部６は、Ｓ１１にてお気に入り管理テーブル１５からデータを読み出した後、読み出したデータの最終接続日時欄に格納されている最終接続日時と現在の日時との差分を取り、最終接続日時からの経過時間を演算する（Ｓ１２）。なお、図１のブロック図には示していないが、携帯電話機１はタイマーを備えており、制御部６は、現在の日時をタイマーから取得する。【０１１５】
そして、制御部６は、上記経過時間を演算したウェブサイトのタイトルを、上記演算した経過時間に対応する経過時間マーク２２と共に表示画面２１に表示させる（Ｓ１３）。続いて、制御部６は、上記演算した経過時間に対応する色のカーソル２３を上記表示したタイトルに重畳して表示し（Ｓ１４）、最終接続日時と経過時間とを表示画面２１に表示する（Ｓ１５）。【０１１６】
ここで、制御部６は、お気に入り管理テーブル１５のブログフラグ欄が、「１」であるか否かを確認する（Ｓ１６）。ブログフラグが「０」である場合（Ｓ１６でＮＯ）、制御部６はＳ１９の処理に進む。Ｓ１９の処理については後述する。【０１１７】
一方、ブログフラグが「１」である場合（Ｓ１６でＹＥＳ）、制御部６は、汎用メモリ５のコメント管理テーブル１６からデータを読み出す（Ｓ１７）。なお、Ｓ１７におけるデータとは、コメント管理テーブル１６に記憶されているデータであり、具体的にはコメントとコメント日時である。【０１１８】
ここで、コメント管理テーブル１６について図１０に基づいて説明する。図１０は、コメント管理テーブル１６の一例を示す図である。コメント管理テーブル１６は、お気に入り登録されているウェブサイトのそれぞれについて作成される。例えば、ブログ（１）〜（３）がお気に入りに登録されている場合には、図１０のように、ブログ（１）〜（３）のそれぞれについてコメント管理テーブル１６が作成される。【０１１９】
コメント管理テーブル１６には、各ウェブサイトにおけるユーザのコメントとそのコメントを当該ウェブサイトに書き込んだコメント日時とが対応付けて格納される。なお、コメント及びコメント日時は、ユーザがウェブサイトに書き込みを行ったときに制御部６がコメント管理テーブル１６に記憶する。【０１２０】
そして、制御部６は、図８のフローチャートのＳ１７にてこのコメント管理テーブル１６から最終のコメントとコメント日時とを読み出し、読み出した最終のコメントとコメント日時、及びＳ１１でお気に入り管理テーブル１５から読み出したニックネームを表示画面２１に表示する（Ｓ１８）。【０１２１】
なお、Ｓ１８で表示するニックネーム、最終コメント日時、及びコメントは、例えば図２に示すように、表示画面２１を上下に２分割した下側の画面に表示するようにしてもよいし、図３に示すように、表示画面２１を上中下に３分割した一番下の画面に表示するようにしてもよい。しかしながら、Ｓ１８で表示するニックネーム、最終コメント日時、及びコメントは、ユーザがカーソル２３を合わせたウェブサイトについて、ユーザが視認できる態様で表示画面２１に表示すればよく、これらの例に限定されない。【０１２２】
続いて、制御部６は、次のデータの有無を確認する（Ｓ１９）。なお、次のデータとは、お気に入り管理テーブル１５に格納されており、未だ表示画面２１に表示していないウェブサイトのうち最も上の行に格納されているウェブサイトのタイトル、最終接続日時等のデータを指す。次のデータがない場合（Ｓ１９でＮＯ）、制御部６はお気に入り画面の表示処理を終了する。【０１２３】
一方、次のデータがある場合（Ｓ１９でＹＥＳ）、制御部６はお気に入り管理テーブル１５から次のデータを読み出し（Ｓ２０）、読み出したデータの最終接続日時と現在時刻との差から経過時間を演算し（Ｓ２１）、タイトル及び経過時間マーク２２を表示画面２１に表示する（Ｓ２２）。制御部６は、タイトル及び経過時間マーク２２を表示画面２１に表示した後、Ｓ１６に戻ってブログフラグの有無を確認する。【０１２４】
次に、図５に示すニックネームリストの表示処理について、図１１に基づいて説明する。図１１は、ニックネームリスト表示処理の一例を示すフローチャートである。ユーザが操作部４を操作してニックネームリストの表示指示を入力すると、表示指示は制御部６に送られる。制御部６は、ニックネームリストの表示指示を受けると、汎用メモリ５のお気に入り管理テーブル１５及びコメント管理テーブル１６からデータを読み出す（Ｓ３１）。【０１２５】
なお、Ｓ３１で読み出すデータは、お気に入り管理テーブル１５に格納されているブログフラグが「１」であるウェブサイトのうち、最も上の行に格納されているウェブサイトのタイトル、最終接続日時、及びニックネームと、当該ウェブサイトのコメント管理テーブル１６におけるコメント及びコメント日時とである。【０１２６】
例えば、図９の例では、ブログフラグが「１」であるウェブサイトのうち、最も上の行に記憶されているウェブサイトは、ブログ（１）であるから、Ｓ３１ではブログ（１）の最終接続日時等が読み出されることになる。すなわち、ここでは、お気に入り管理テーブル１５の格納順にニックネームリストの表示処理を進めていく例を示している。なお、表示処理の順番は、最終的にお気に入りに登録されている全てのブログについて表示処理が行われるようになっていればよく、特に限定されない。【０１２７】
次に、制御部６は、Ｓ３１にて読み出した最終接続日時から今回の接続までの経過時間を演算（Ｓ３２）し、同じくＳ３１にて読み出したニックネーム及びタイトルを上記演算した経過時間に対応する色の経過時間マーク２２と共に表示画面２１に表示させる（Ｓ３３）。続いて、制御部６は、上記経過時間マーク２２と同色のカーソル２３を上記表示させたニックネーム及びタイトルと重畳して表示する（Ｓ３４）。【０１２８】
そして、制御部６は、最終コメント日時とコメントとを表示画面２１に表示する（Ｓ３５）。なお、最終コメント日時とコメントとは、カーソル２３が合わされたタイトルのウェブサイトのもののみを表示することが好ましい。これにより、携帯電話機１の小さな表示画面２１であっても最終コメント日時とコメントとをユーザが確認しやすくなる。【０１２９】
また、最終コメント日時とコメントとの表示位置は、ユーザが視認できる位置であれば特に限定されないが、例えば図５に示すように、表示画面２１を２分割した下側の画面に表示することが好ましい。表示画面２１を２分割した下側の画面に表示することにより、上側の画面でニックネーム及びウェブサイトのタイトルを確認しながら、下側の画面でそのウェブサイトにおける最終コメント日時及びコメントを確認することができる。【０１３０】
続いて、制御部６は、次のデータの有無を確認する（Ｓ３６）。なお、次のデータとは、お気に入り管理テーブル１５に格納されており、未だ表示画面２１に表示していないウェブサイトのうち最も上の行に格納されているウェブサイトのタイトル、最終接続日時等のデータを指す。次のデータがない場合（Ｓ３６でＮＯ）、制御部６はニックネームリストの表示処理を終了する。【０１３１】
一方、次のデータがある場合（Ｓ３６でＹＥＳ）、制御部６はお気に入り管理テーブル１５及びコメント管理テーブル１６から次のデータを読み出し（Ｓ３７）、読み出したデータに基づいて経過時間を演算し（Ｓ３８）、ニックネーム及び経過時間マーク２２を表示画面２１に表示する（Ｓ３９）。制御部６は、ニックネーム及び経過時間マーク２２を表示画面２１に表示した後、Ｓ３６に戻って次のデータの有無を確認する。【０１３２】
このように、ニックネーム表示処理では、お気に入り管理テーブル１５に格納されているウェブサイトのうち、ニックネームが登録されているウェブサイトの全てが表示画面２１に表示されるまで処理が続けられる。【０１３３】
なお、ニックネームリスト表示中に、ユーザが操作部４を操作してカーソル２３を移動させた場合、制御部６は、カーソル２３が合わされたウェブサイトのコメント管理テーブル１６を読み出して、最終コメント及びコメント内容を表示画面２１に表示する。【０１３４】
次に、図４に示すブログ画面の表示処理について、図１２に基づいて説明する。図１２は、ブログ画面表示処理の一例を示すフローチャートである。ユーザが操作部４を操作してブログにアクセスする指示を入力すると、ブログへのアクセス指示は制御部６に送られる。制御部６は、ブログへのアクセス指示を受けると、当該ブログにインターネットを介して接続し、取得したブログ画面を表示画面２１に表示する（Ｓ４１）。【０１３５】
ブログ画面の表示態様はユーザがブログ画面を視認できるものであれば特に限定されないが、ここでは、図４に示すように、表示画面２１を２分割した上側の画面にブログ画面を表示する例を説明する。【０１３６】
次に、制御部６は、お気に入り管理テーブル１５及びコメント管理テーブル１６から、上記接続したブログに対応するデータを読み出す（Ｓ４２）。なお、ここで制御部６が、お気に入り管理テーブル１５から読み出すデータは、最終接続日時及びニックネームであり、コメント管理テーブル１６から読み出すデータは、コメント及びコメント日時である。【０１３７】
続いて、制御部６は、上記読み出したデータに基づいて最終接続日時から今回の接続までの経過時間を演算（Ｓ４３）し、前回訪問日時（最終接続日時）、最終接続日時からの経過時間、ニックネーム、コメント日時、及びコメントを表示画面２１に表示する（Ｓ４４）。【０１３８】
なお、前回訪問時間（最終接続日時）、最終接続日時からの経過時間等の表示態様はユーザが視認できるものであれば特に限定されないが、例えば図４に示すように、表示画面２１を２分割した下側の画面に表示することが好ましい。これにより、ユーザは、上側の画面でブログの内容を見ながら、下側の画面でそのブログへのアクセス履歴を確認することができる。【０１３９】
そして、制御部６は、上記アクセスしたブログについて、お気に入り管理テーブル１５の最終接続日時を現在の日時に更新する（Ｓ４５）。最終接続日時を更新した制御部６は、ユーザの入力操作を待ち受け（Ｓ４６）、入力操作があった場合（Ｓ４６でＹＥＳ）、当該入力操作が履歴表示変更操作であるか否かを確認する（Ｓ４７）。【０１４０】
ここで、履歴表示変更操作について説明する。履歴表示変更操作とは、前回訪問時間、最終接続日時からの経過時間、コメント等といった、ウェブサイトへのアクセス履歴や書き込み履歴の表示画面２１における表示態様を変更する操作である。具体的には、履歴表示変更操作には、これらの履歴を表示画面２１に表示しないようにする履歴表示消去操作と、履歴を最新の状態に更新する或いは履歴が表示画面に表示されていない場合に履歴を表示させる履歴表示操作とが含まれる。なお、履歴表示変更操作は、操作部４を操作することによって行われる。【０１４１】
Ｓ４７にて検出した入力操作が履歴表示操作である場合、制御部６はＳ４２に戻って再度お気に入り管理テーブル１５及びコメント管理テーブル１６からデータを読み出し、前回訪問日時、最終接続日時等を更新して表示する。他方、Ｓ４７にて検出した入力操作が履歴表示消去操作である場合、制御部６はブログ画面を表示画面２１の全画面に表示（Ｓ４８）した後、Ｓ４６に戻って入力操作を待ち受ける。【０１４２】
また他方、Ｓ４７にて検出した入力操作が履歴表示変更操作ではない場合（Ｓ４７でＮＯ）、制御部６は、入力操作がコメント送信操作であるか否かを確認する（Ｓ４９）。なお、ここでコメント送信操作とは、上記アクセスしたブログに電子メールでコメントを送る操作を指す。コメント送信操作ではない場合（Ｓ４９でＮＯ）、制御部６は入力操作に該当する処理を実行（Ｓ５０）した後、Ｓ４６に戻って入力操作を待ち受ける。【０１４３】
一方、コメント送信操作である場合（Ｓ４９でＹＥＳ）、制御部６は、送信したコメントをコメント管理テーブル１６に追加すると共に、現在の日時、すなわち当該コメントを送信した日時をコメント管理テーブル１６に登録する（Ｓ５１）。制御部６は、コメント及びコメント日時の登録後、Ｓ４６に戻って入力操作を待ち受ける。【０１４４】
次に、ブログからメールを受信したときに行われるメール着信処理について、図１３及び図１４に基づいて説明する。図１３はメール着信処理の一例を示すフローチャートである。すなわち、無線部７は、メールの受信を確認すると制御部６にメールの着信があったことを伝える。制御部６は、無線部７からメールの着信があった旨の伝達を受けると、受信したメールがお気に入りに登録しているブログからのメールか否かを確認する（Ｓ６２）。【０１４５】
ここでは、お気に入りに登録しているブログからのメール着信を認識するために、お気に入りに登録しているブログのメールアドレスを利用する。すなわち、ブログからのメールの場合、メールのヘッダ等にメール送信元のブログのメールアドレスが含まれている。そこで、制御部６は、予め記憶している各ブログのメールアドレスとメールのヘッダ等とを比較することにより、そのメールがお気に入りに登録しているブログからのメールか否かを確認する。【０１４６】
なお、メールアドレスは、該ウェブサイトのタイトルと対応付けて格納されていればよく、格納場所は特に限定されないが、ここではメールアドレスがお気に入り管理テーブル１５に格納されている例を説明する。【０１４７】
各ブログのメールアドレスを含むお気に入り管理テーブル１５の一例を図１４に示す。図示のように、図９のお気に入り管理テーブル１５に含まれていた各項目のデータに加え、ブログ（１）〜（３）のそれぞれについて、メールアドレスが格納されている。【０１４８】
このようにして、制御部６は、受信したメールがお気に入りに登録しているブログからのメールか否かを確認する。そして、Ｓ６１で受信したメールが登録ブログからのメールではない場合（Ｓ６２でＮＯ）には、制御部６は、メールの着信を示す文字及び／又は画像を表示画面２１に表示（Ｓ６３）し、メール着信処理を終了する。【０１４９】
一方、登録ブログからのメールである場合（Ｓ６２でＹＥＳ）、制御部６は、お気に入り管理テーブル１５及びコメント管理テーブル１６から、該当するブログのデータを読み出す（Ｓ６４）。なお、ここでお気に入り管理テーブル１５から読み出すデータは、タイトル、最終接続日時、及びニックネームであり、コメント管理テーブル１６から読み出すデータは、コメント及びコメント日時である。【０１５０】
続いて、制御部６は、前回接続からの経過時間を演算（Ｓ６５）し、表示画面２１に当該ブログのタイトル、最終訪問（接続）日時、最終訪問からの経過時間、ニックネーム、コメント日時、及びコメントを表示する。表示画面２１への表示後、制御部６はメール着信処理を終了する。【０１５１】
なお、Ｓ６５で表示するデータは、ブログのタイトル及び最終訪問からの経過時間を少なくとも含んでいればよく、その他のデータは適宜省略することもできる。しかしながら、ニックネーム、コメント日時、及びコメント等も表示することにより、ユーザは受信したメールの送信元であるブログでの今までのやり取りを踏まえた上でメールの確認をすることができるので好ましい。【０１５２】
また、上述の例では、最終接続日時からの経過時間や最終接続日時を表示する態様を示したが、あるウェブサイトにアクセスした後、どの程度の期間が空いているのかについて、正確な時間を確かめる必要はなく、おおまかな期間がわかればよいと考えるユーザも存在すると考えられる。このような場合、最終接続日時の代わりに、ウェブサイトに最後にアクセスした日付を最終接続日として格納しておき、これを表示するようにすればよい。【０１５３】
同様に、上述の例では、ユーザが書き込みを行った日時をコメント日時として汎用メモリ５に記録し、コメント日時や、最終書き込みからの経過時間を表示しているが、書き込みを行った日付を記録し、最終書込日や最終書込日からの経過時間を表示するようにしてもよい。【０１５４】
〔変形例〕
続いて、本発明の変形例について、図１５〜図２１に基づいて説明する。なお、上記実施形態で説明した構成と同様の機能を有する構成には同一の符号を付して、その説明を省略する。【０１５５】
上記実施形態では、お気に入り画面に表示されたウェブサイトのタイトルにカーソルを合わせることで、カーソルが合わされたタイトルに対応するウェブサイトへの最終接続日時からの経過時間等を表示する例について説明した。【０１５６】
ここでは、お気に入り画面に表示されたウェブサイトのタイトルにカーソルを合わせたときに、カーソルが合わされたタイトルに対応するウェブサイトへの接続履歴をカレンダー状に表示する例について説明する。接続履歴をカレンダー状に表示することにより、ユーザは、当該ウェブサイトに最後にアクセスした後、どの程度の日数が経っているかを確認することができると共に、過去にそのウェブサイトにどの程度の頻度でアクセスしたかを容易に認識することができる。【０１５７】
図１５は、お気に入り画面に表示されたウェブサイトのタイトルにカーソルを合わせたときに、カーソルが合わされたタイトルに対応するウェブサイトへの接続履歴をカレンダー状に表示したときに、表示画面２１に表示される画像の一例を示す図である。【０１５８】
図示のように、表示画面２１には、図２等と同様にお気に入り画面が表示されており、お気に入りに登録されたウェブサイトのタイトルとして、検索トップページ、スポーツニュース、及びブログ（１）〜（３）が表示されている。そして、各タイトルにはアイコン（サイト特定情報）３２が付されており、タイトルに重畳してカーソル（選択手段）２３が表示されている。【０１５９】
また、図示のように、表示画面２１には、カーソルが合わされているタイトル（図１５ではブログ（２））のアクセス履歴を示すカレンダー３１が表示されている。カレンダー３１は、現在の日付が含まれる月の一ヶ月のカレンダーであり、カレンダーが示す年と月と（図示の例では２００６年１２月）が表示されている。【０１６０】
そして、カレンダー３１には、図示のように、星印が付されている日付がある。すなわち、カレンダー３１は、星印が付されている日付にユーザがブログ（２）にアクセスしたことを示している。【０１６１】
したがって、ユーザは、接続履歴を確認したいウェブサイトのタイトルにカーソル２３を合わせ、カレンダー３１を表示させることによって、当該ウェブサイトへのある月の接続履歴を簡単に確認することができる。また、接続履歴がカレンダー３１上に表示されるので、ユーザは、上記ウェブサイトに、どの程度の頻度で、またどの程度の回数だけアクセスしているかを容易に把握することができる。【０１６２】
なお、カレンダー３１では、ユーザがブログ（２）にアクセスした日付をユーザが認識できるように表示されていればよく、アクセスした日付に星印を付ける例に限られない。例えば、ユーザがウェブサイトにアクセスした日付に、当該ウェブサイトのアイコン３２を表示したり、当該ウェブサイトのタイトルを表示したりしてもよい。【０１６３】
上記表示を実現するために、携帯電話機１は、各月のカレンダーを汎用メモリ５に記録している。また、携帯電話機１では、お気に入りに登録されているウェブサイトにアクセスしたときに、アクセスした日付をウェブサイト毎に汎用メモリ５に記録している。【０１６４】
ここで、お気に入り表示画面にて、ウェブサイトのタイトルにカーソルが合わされた場合、制御部６は、カーソルが合わされたタイトルに対応するウェブサイトを判定し、該判定したウェブサイトにアクセスした日付を汎用メモリ５から読み出すと共に、現在の日付に対応するカレンダーを読み出す。【０１６５】
そして、制御部６は、読み出したカレンダーに含まれる日付と、上記ウェブサイトにアクセスした日付とを比較し、一致した日付に星印を付して表示画面２１に表示する。これにより、現在の日付の月に上記ウェブサイトにアクセスした日付に星印が付されたカレンダー３１が表示画面２１に表示される。【０１６６】
続いて、図１５に示すアイコン３２について説明する。上記実施形態における経過時間マーク２２（図２等参照）は、その色によって該経過時間マーク２２が付されたウェブサイトへの最終接続日時からの経過時間を示すものであった。【０１６７】
これに対し、本変形例におけるアイコン３２は、お気に入りに登録されたウェブサイトと１対１に対応しており、ユーザは、アイコン３２から、そのアイコン３２に対応するウェブサイトを特定することができる。すなわち、アイコン３２は、サイト特定情報としての機能を有する。なお、ここでは、ウェブサイトをお気に入りに登録するときに、各ウェブサイトに固有のアイコン３２を適宜設定することを想定している。【０１６８】
携帯電話機１は、パソコン等と比べて表示画面が小さいので、ウェブサイトのタイトルを表示した場合に、表示画面２１の表示内容をユーザが確認し難くなることがある。このような場合に、ウェブサイトのタイトルの代わりにアイコン３２を表示することによって表示画面２１の表示内容をユーザが確認し易くなる。【０１６９】
続いて、上記とは別のカレンダー表示の例について説明する。本変形例では、ほとんどの携帯電話機が備えているカレンダーの表示機能を利用して、お気に入りに登録したウェブサイトへの接続履歴等の履歴情報を管理することにより、ユーザがより使いやすい構成を実現している。本変形例のカレンダー表示の一例を図１６に基づいて説明する。【０１７０】
図示のように、カレンダー３３は、曜日と日付とが表示された１ヶ月のカレンダーである。図示の例では、カレンダー３３は、２０ｘｘ年の１２月のカレンダーとなっている。すなわち、ここでは、現在、２０ｘｘ年の１２月であることを想定している。【０１７１】
また、各日付の下側にはスペースが設けられており、このスペースには各日付に関連する情報を表示できるようになっている。例えば、図示の例では、１０日の下のスペースに「運動会」と表示されており、これは、１２月１０日に運動会があることを示している。なお、この表示はユーザの入力により適宜設定することができる。【０１７２】
そして、図示のように、各日付に設けられたスペースには、アイコン３２が表示されている。カレンダー３３では、お気に入りに登録した各ウェブサイトが更新された日付に、更新されたウェブサイトを示すアイコン３２を表示している。なお、ここでは、ウェブサイトをお気に入りに登録したとき、お気に入りに登録したウェブサイトが該ウェブサイトの管理者によって更新されたとき、及びお気に入りに登録したウェブサイトに書き込みを行ったときに、ウェブサイトが更新されたと判断し、その日付に設けられたスペースにそのウェブサイトに対応するアイコン３２を表示することを想定している。【０１７３】
例えば、１２月４日には、ブログ（２）のアイコン３２が表示されている。これは、１２月４日には、ブログ（２）のお気に入りへの登録、ブログ（２）の更新、及びブログ（２）への書き込みのうち少なくとも１つが行われたことを示している。【０１７４】
このように、カレンダー３３には、お気に入りに登録したウェブサイトの１ヶ月の更新履歴が一覧表示されるので、ユーザは、いつどのウェブサイトにアクセスしたか、またいつウェブサイトが更新されたか、などを一目で確認することができる。例えば、図示の例では、２０ｘｘ年の１２月には、ブログ（２）が、１２月４日、１２月１５日、１２月１８日、及び１２月２２日の４回だけ更新されたことがわかる。【０１７５】
そして、ユーザは、カレンダー３３に表示されているアイコン３２を選択することにより、当該アイコン３２で特定されるウェブサイトの更新内容を表示させることができる。ここでは、カレンダー３３に表示されているアイコン３２を選択した場合に、図１７に示すような履歴表示画面３６が表示される例について説明する。図１７は、更新内容の表示例を示す図である。【０１７６】
図示のように、履歴表示画面３４には、更新内容を表示する対象となるウェブサイトのタイトルと当該ウェブサイトの更新内容とが表示される。これにより、ユーザは、図１６のアイコン３２が示す更新の内容を確認することができる。ここでは、図１６に示すように、ブログ（２）が１２月４日、１２月１５日、１２月１８日、及び１２月２２日の４回だけ更新されたことを想定しているので、この４回の更新の具体的な内容が表示される。【０１７７】
すなわち、図示の例では、ブログ（２）は、１２月４日にお気に入りに登録され、１２月１５日にブログ（２）の管理者によって更新され、１２月１８日にピロリさん（ユーザがブログ（２）で使用しているニックネーム）によってコメントが追加され、１２月２２日に再度ブログ（２）の管理者によって更新されたことが表示されている。【０１７８】
なお、図１７では、アイコン３２が選択されたウェブサイトの全更新内容が表示される例を示しているが、選択したアイコン３２に対応する日付の更新内容のみを表示するようにしてもよい。【０１７９】
ここで、図１７では、カレンダー３３で選択されたアイコン３２で特定されるウェブサイトの、ある月における更新内容の全てが表示される例を示したが、特定の更新内容のみを表示させるようにしてもよい。これについて、図１８に基づいて説明する。図１８は、ウェブサイトの管理者によるウェブサイトの更新のみを表示させた表示画面の一例を示す図である。【０１８０】
図示のように、履歴表示画面３５では、更新内容を表示する対象となるウェブサイトのタイトルが表示されると共に、当該ウェブサイトがウェブサイトの管理者によって更新された日付が表示される。例えば、図示の例では、１２月４日、１２月５日、１２月２０日、１２月２４日、１２月３１日、及び１月１５日にブログ（２）が更新されていることがわかる。このように、更新内容のうち、特定の情報のみを表示させることにより、ユーザは、確認したい情報のみを容易に確認することができる。【０１８１】
なお、図示の例では、ブログ（２）が更新された全ての日付を表示する例を示しているが、ユーザが指定する月のみの更新内容や、最新の数件の更新内容を表示するようにしてもよい。また、コメントを追加した日時等の更新内容を表示するようにしてもよい。【０１８２】
さらに、ここでは、カレンダー３３のアイコン３２を選択した場合に、図１７に示すような履歴表示画面３４や図１８に示す履歴表示画面３５表示する例を示したが、更新内容を表示する方法はこの例に限られない。例えば、カレンダー３３上において、カーソルを合わせる等して選択候補として指定したアイコン３２が示す更新内容をポップアップ表示するようにしてもよい。【０１８３】
例えば、図１６に示すカレンダー３３において、１２月４日には、ブログ（２）のアイコン３２が表示されている。そして、図１７に示すように、１２月４日は、ブログ（２）をお気に入りに登録した日である。ここで、１２月４日に表示されているブログ（２）のアイコン３２にカーソルを合わせる等してブログ（２）を選択候補とした場合に、例えば「お気に入り登録」等の文をポップアップ表示させる。これにより、ユーザは、カレンダー３３に表示されている各アイコン３２が具体的にはどのような更新内容を示しているのかを容易に確認することができる。【０１８４】
図１６の表示を実現するために、携帯電話機１は、各月のカレンダーを汎用メモリ５に記録している。また、携帯電話機１の制御部６は、ウェブサイトをお気に入りに登録したとき、お気に入りに登録したウェブサイトが更新されたとき、及びお気に入りに登録したウェブサイトに書き込みを行ったときの日付をウェブサイト毎に汎用メモリ５に記録している。すなわち、ここでは、制御部６は、履歴取得手段としての機能を有する。【０１８５】
なお、ここでは、お気に入りに登録したウェブサイトが更新されたときには、該更新されたウェブサイトから、ウェブサイトの更新を報告するメールが送付されることを想定している。そして、上記メールは無線部７を介して制御部６に送られ、制御部６はメールの送信元を確認し、メールの送信元のウェブサイトが更新されたと判断する。【０１８６】
ここで、ユーザが操作部４を操作してカレンダー３３の表示を指示する入力を行った場合、制御部６は、ウェブサイトをお気に入りに登録したときの日付、お気に入りに登録したウェブサイトが更新されたときの日付、及びお気に入りに登録したウェブサイトに書き込みを行ったときの日付をウェブサイト毎に汎用メモリ５から読み出す。そして、制御部６は、各ウェブサイトのアイコン３２を汎用メモリ５から読み出すと共に、現在の日付に対応するカレンダーを読み出す。【０１８７】
そして、制御部６は、読み出したカレンダーに含まれる日付と、上記ウェブサイトをお気に入りに登録したときの日付、お気に入りに登録したウェブサイトが更新されたときの日付、及びお気に入りに登録したウェブサイトに書き込みを行ったときの日付とを比較し、一致した日付に上記読み出したアイコン３２を付して表示画面２１に表示する。これにより、アイコン３２が表示されたカレンダー３３が表示画面２１に表示される。【０１８８】
また、カレンダー３３に表示されているアイコン３２が選択された場合、制御部６は、汎用メモリ５を参照して上記選択されたアイコン３２で特定されるウェブサイトを判定し、該判定したウェブサイトをお気に入りに登録したときの日付、お気に入りに登録したウェブサイトが更新されたときの日付、及びお気に入りに登録したウェブサイトに書き込みを行ったときの日付を汎用メモリ５から読み出す。【０１８９】
そして、制御部６は、上記判定したウェブサイトのタイトルを表示画面２１に表示すると共に、該ウェブサイトをお気に入りに登録したことを示す文とそのときの日付、更新されたことを示す文とそのときの日付、及び書き込みを行ったことを示す文とそのときの日付を表示画面２１に表示する。なお、ここでは、制御部６は、カレンダー３３が示す月に含まれる日付の更新履歴のみを表示する。これにより、表示画面２１に履歴表示画面３４が表示される。【０１９０】
ここで、図１７の例では、ユーザがコメントを書き込んだことを示す文に「ピロリ」というニックネームが含まれている。このニックネームは、お気に入り管理テーブル１５に格納されているニックネームを制御部６が読み出して履歴表示画面３４に表示する。ユーザがコメントを書き込んだことを示す文にニックネームを表示することにより、ユーザは、当該ウェブサイトでコメントの書き込みに使用しているニックネームを確認することができるので好ましい。【０１９１】
また、履歴表示画面３４の表示は、お気に入り登録を行った日付やユーザが書き込みを行った日付等が確認できる形態であれば特に限定されず、例えば文章で表示してよいし画像で表示してもよい。そして、図１７では、カレンダー３３に表示されている月の履歴のみを表示する例を示しているが、カレンダー３３に表示されている月に限らず、汎用メモリ５に記録されている全ての履歴を表示するようにしてもよい。また、更新内容は、上記の例に限定されず、例えば書き込みを行ったコメントの内容等も更新内容として表示してもよい。【０１９２】
次に、図１８に示すように、更新履歴のみを表示する場合の携帯電話機１の動作について説明する。すなわち、制御部６は、あるウェブサイトの管理者による更新の履歴の表示指示が操作部４を介して入力されたときに、汎用メモリ５から当該ウェブサイトが管理者によって更新された日付を読み出し、ウェブサイトのタイトルと共に表示画面に表示する。これにより、表示画面２１に履歴表示画面３５が表示される。【０１９３】
なお、履歴表示画面３５は、例えば図１６に示すようなカレンダー３３に表示されているアイコン３２を選択した場合に表示するようにしてもよいし、図示しないメニュー画面から履歴表示画面３５を表示させるようにしてもよい。また、履歴表示画面３５では、管理者による更新の履歴のみを表示しているが、例えば、ユーザがコメントを書き込んだコメント履歴のみを表示するようにしてもよい。【０１９４】
また、カレンダー３３に表示されたアイコン３２が示す更新内容を、カレンダー３３と共に表示するようにしてもよい。これにより、カレンダー３３に表示されているアイコン３２が、ウェブサイトをお気に入りに登録したことを示しているのか、該ウェブサイトが更新されたことを示しているのか、あるいは該ウェブサイトに書き込みを行ったことを示しているのか等を容易に確認することができる。【０１９５】
カレンダー３３に表示されたアイコン３２が示す更新内容を、カレンダー３３と共に表示した画面表示例について、図１９に基づいて説明する。図示のように、表示画面２１には、カレンダー３３が表示されており、１２月４日にはブログ（２）のアイコン３２が表示されている。すなわち、ここでは、１２月４日にブログ（２）が更新されたことを想定している。【０１９６】
また、表示画面２１には、カレンダー詳細情報３６及びリマインダ情報３７が表示されている。カレンダー詳細情報３６には、図示のように、「１２月４日  ブログ（２）お気に入り登録」と表示されている。これにより、ユーザは、カレンダー３３の１２月４日に表示されているアイコン３２が、ブログ（２）をお気に入りに登録した日付を示していることを容易に認識することができる。【０１９７】
さらに、カレンダー詳細情報３６は、当該カレンダー詳細情報３６に記載されているウェブサイトとハイパーリンクされている。これにより、カレンダー詳細情報３６を図示しないカーソル等の選択手段によって選択することで、カレンダー詳細情報３６に記載されているウェブサイトにアクセスできるようになっている。その結果、ユーザは、カレンダー詳細情報３６の記載内容を確認した後、スムーズに該カレンダー詳細情報３６に記載されているウェブサイトにアクセスすることができる。【０１９８】
カレンダー詳細情報３６には、図示のように、カーソルが合わされたアイコン３２で特定されるウェブサイトのみの更新内容を表示するようにしてもよいし、カレンダー３３に表示されているアイコン３２の全てについて更新内容を表示するようにしてもよい。【０１９９】
同図に記載されているリマインダ情報３７は、お気に入りに登録したウェブサイトにアクセスしていない期間が所定の期間を過ぎたことをユーザに通知する情報である。リマインダ情報３７が表示されることにより、ユーザが、お気に入りに登録したウェブサイトの更新忘れをしたり、コメントを付け忘れたりすることを防ぐことができる。リマインダ情報３７の詳細については後述する。【０２００】
また、カレンダー３３は、表示画面２１の背景として待ち受け画面に常に表示させておいてもよい。図２０は、待ち受け画面の一例を示す図である。図示のように、表示画面２１には、カレンダー３３が表示されていると共に、カレンダー詳細情報３６及びリマインダ情報３７が表示されている。【０２０１】
待ち受け画面にカレンダー３３を表示させることにより、ユーザは、携帯電話機１の表示画面２１を見るだけで、ウェブサイトをお気に入りに登録した日付や、ウェブサイトが更新された日付、コメントを書き込んだ（追加した）日付等を容易に確認することができる。【０２０２】
待ち受け画面で表示されるカレンダー詳細情報３６には、カレンダー３３に表示されている全てのアイコン３２の履歴情報が表示される。しかしながら、携帯電話機１の表示画面２１は、大きさが限られているので、全てのアイコン３２の履歴情報を表示した場合、ユーザの視認性が低下するおそれがある。そこで、例えば全ての履歴情報のうち、最新の数件のみを表示することが好ましい。【０２０３】
なお、リマインダ情報３７は、ユーザがリマインダ情報３７で示されるウェブサイトにアクセスするまでの間は表示させ続けることが好ましい。また、ユーザがリマインダ情報３７を確認した後、すぐに当該リマインダ情報３７で示されるウェブサイトにアクセスすることができるように、リマインダ情報３７にハイパーリンクを張っておくことが好ましい。【０２０４】
次に、リマインダの設定方法について説明する。リマインダを設定することにより、上記リマインダ情報３７が表示画面に表示されるようになるので、ウェブサイトの更新忘れやコメントの付け忘れをより確実に防ぐことができる。【０２０５】
携帯電話機１では、お気に入りに登録した各ウェブサイトについて、リマインダを設定することができる。ここでは、お気に入りに登録した各ウェブサイトについて、リマインダを設定するか否かを設定することができ、リマインダを設定する場合、リマインダの期間を設定することができるようになっている。【０２０６】
リマインダの期間とは、その期間内にウェブサイトにアクセスしていない場合にリマインダ情報３７を表示する期間を指し、例えば、１日、２日、５日、１週間、２週間、あるいは１ヶ月等の任意の期間とすることができる。すなわち、携帯電話機１では、ウェブサイトにアクセスしていない期間が、予め設定したリマインダの期間を越えた場合に、リマインダ情報３７が表示される。【０２０７】
例えば、お気に入りに登録したブログ（２）のリマインダの期間を２週間に設定した場合、ブログ（２）にアクセスしていない期間が２週間を超えたときに、ブログ（２）にアクセスしていない期間が２週間を超えたことをユーザに報知するリマインダ情報３７が表示される。【０２０８】
リマインダ情報３７がカレンダー３３を表示させたとき（図１９参照）や、待ち受け画面（図２０参照）に表示されることにより、ユーザは、所定の期間、アクセスしていないウェブサイトを容易に認識することができるので、ウェブサイトの更新忘れやコメントの付け忘れをより確実に防ぐことができる。【０２０９】
また、ユーザが設定したリマインダの期間が経過したときに、ユーザにリマインダの期間が経過したことを示すメッセージを自動的に表示するようにしてもよい。例えば、ユーザが設定したリマインダの期間が経過したときに、図２１に示すようなメッセージ３８を表示画面２１に表示することにより、ユーザは、所定の期間、アクセスしていないウェブサイトを更に確実に認識することができる。【０２１０】
なお、メッセージ３８を表示するタイミングは、リマインダの期間が経過したタイミングに限られない。例えばリマインダの期間が経過した後でユーザがカレンダー３３やお気に入り表示画面の表示指示を出したとき等、任意のタイミングで表示するように構成することができる。また、音や光、振動等でユーザにリマインダの期間の経過を報知するようにしてもよい。音や光、振動を発する機能は、携帯電話機１の着信等を報知するために設けられている構成を用いて実現することもできる。【０２１１】
さらに、携帯電話機１では、リマインダをユーザに提示する日時を指定できるように構成することが好ましい。リマインダをユーザに提示する日時を指定することにより、ユーザは、所望のタイミングで、所定の期間、アクセスしていないウェブサイトをまとめて確認することができる。【０２１２】
例えば、２０ｘｘ年１２月１１日の午前９時にリマインダを提示するように指定しておいた場合、２０ｘｘ年１２月１１日の午前９時には、その時点でリマインダの期間を経過しているウェブサイトが表示画面２１に表示される。【０２１３】
また、携帯電話機１では、ユーザが指定した所定の時間間隔で、お気に入りに登録している各ウェブサイトへの最終接続日時からの経過時間を一覧表示するようにしてもよい。これにより、ユーザは、お気に入りに登録している各ウェブサイトへの接続頻度を定期的に確認することができるので、更新忘れやコメントの付け忘れを防ぐことができる。【０２１４】
上述のようなリマインダ設定を実現する携帯電話機１の構成及び動作について図１に基づいて説明する。本変形例における携帯電話機１では、お気に入り管理テーブル１５において、各ウェブサイトのタイトルに対応付けて各ウェブサイトのリマインダの期間が格納されていることを想定している。【０２１５】
そして、制御部６は、ウェブサイトにリマインダの期間の設定がなされたときに、図示しないタイマー（計時手段）を用いて上記設定されたリマインダの期間の計測を始める。制御部６は、タイマーを参照して上記設定されたリマインダの期間が経過したか否かを判断し、経過したと判断したときに、表示処理部９及び表示部１２に指示を送り、リマインダ情報３７を表示画面２１に表示させる。【０２１６】
なお、図１９のようにカレンダー３３と共にリマインダ情報３７を表示する場合は、制御部６は、リマインダの期間が経過したと判断した後にカレンダー３３の表示指示を受けたときに、カレンダー３３と共にリマインダ情報３７を表示する。【０２１７】
なお、表示させるリマインダ情報３７は、ウェブサイトがリマインダの期間を経過したことをユーザが認識できるものであればよく、任意のメッセージを汎用メモリ５に記録しておき、リマインダの期間が経過したときに制御部６がこのメッセージを読み出すようにすればよい。【０２１８】
例えば、「所定の期間、アクセスしていないウェブサイトがあります」というような内容のメッセージを記録しておき、リマインダの期間が経過したときにこのメッセージを表示することで、ユーザは、長期間アクセスしていないウェブサイトがあることを認識することができる。【０２１９】
また、リマインダ情報３７として、図１９や図２０に示すように、ウェブサイトのタイトルと、当該ウェブサイトへの最終接続日を表示することが好ましい。これにより、ユーザは、いつからどのウェブサイトにアクセスしていないかを一目で認識することができる。なお、ウェブサイトのタイトル及び最終接続日は、お気に入り管理テーブル１５から読み出せばよい。【０２２０】
本発明は上述した各実施形態に限定されるものではなく、請求項に示した範囲で種々の変更が可能であり、異なる請求項にそれぞれ開示された技術的手段を適宜組み合わせて得られる実施形態についても本発明の技術的範囲に含まれる。【０２２１】
最後に、携帯電話機１の各ブロック、特に制御部６は、ハードウェアロジックによって構成してもよいし、次のようにＣＰＵを用いてソフトウェアによって実現してもよい。【０２２２】
すなわち、携帯電話機１は、各機能を実現する制御プログラムの命令を実行するＣＰＵ（central processing unit）、上記プログラムを格納したＲＯＭ（read only memory）、上記プログラムを展開するＲＡＭ（random access memory）、上記プログラムおよび各種データを格納するメモリ等の記憶装置（記憶媒体）などを備えている。そして、本発明の目的は、上述した機能を実現するソフトウェアである携帯電話機１の制御プログラムのプログラムコード（実行形式プログラム、中間コードプログラム、ソースプログラム）をコンピュータで読み取り可能に記憶した記憶媒体を、上記携帯電話機１に供給し、そのコンピュータ（またはＣＰＵやＭＰＵ）が記憶媒体に記憶されているプログラムコードを読み出し実行することによっても、達成可能である。【０２２３】
上記記憶媒体としては、例えば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などを用いることができる。【０２２４】
また、携帯電話機１を通信ネットワークと接続可能に構成し、上記プログラムコードを通信ネットワークを介して供給してもよい。この通信ネットワークとしては、特に限定されず、例えば、インターネット、イントラネット、エキストラネット、ＬＡＮ、ＩＳＤＮ、ＶＡＮ、ＣＡＴＶ通信網、仮想専用網（virtual private network）、電話回線網、移動体通信網、衛星通信網等が利用可能である。また、通信ネットワークを構成する伝送媒体としては、特に限定されず、例えば、ＩＥＥＥ１３９４、ＵＳＢ、電力線搬送、ケーブルＴＶ回線、電話線、ＡＤＳＬ回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。【０２２５】
本発明に係る通信端末装置の制御方法は、以上のように、記憶部には、サイト特定情報と対応付けて該サイト特定情報で特定されるウェブサイトに最後に接続した最終接続日または最終接続日時が格納されており、上記サイト特定情報の中から、上記通信端末装置が接続先とするウェブサイトを特定するサイト特定情報を上記通信端末装置のユーザに選択させる選択手段と、上記サイト特定情報を表示すると共に、上記選択手段によって接続先の候補として指定されたサイト特定情報に対応するウェブサイトのみの上記最終接続日または最終接続日時を表示する制御手段とを備えている構成である。【０２２６】
また、本発明の通信端末装置は、以上のように、記憶部には、サイト特定情報と対応付けて該サイト特定情報で特定されるウェブサイトに最後に接続した最終接続日または最終接続日時が格納されており、上記サイト特定情報の中から、上記通信端末装置が接続先とするウェブサイトを特定するサイト特定情報を上記通信端末装置のユーザに選択させる選択手段と、現在の日付または日時を計時する計時手段と、上記サイト特定情報を表示すると共に、上記選択手段によって接続先の候補として指定されたサイト特定情報に対応するウェブサイトの上記最終接続日または最終接続日時と、上記計時手段より取得した現在の日付または日時との差を所定のタイミングで算出した経過時間情報を表示する制御手段とを備えている構成である。【０２２７】
そして、本発明の通信端末装置は、以上のように、記憶部には、上記サイト特定情報と対応付けて該サイト特定情報で特定されるウェブサイトに最後に接続した最終接続日または最終接続日時が格納されていると共に、上記サイト特定情報と対応付けて該サイト特定情報で特定されるウェブサイトにて上記通信端末装置のユーザが書き込みを行う際に、書き込み者である該ユーザを特定するために使用している書込者特定情報が格納されており、上記書込者特定情報を表示すると共に、該書込者特定情報で特定されるウェブサイトの上記最終接続日または最終接続日時と現在の日付または日時との差を所定のタイミングで算出した経過時間情報を表示する制御手段を備えている構成である。【０２２８】
また、本発明の通信端末装置は、以上のように、記憶部には、上記サイト特定情報と対応付けて、該サイト特定情報で特定されるウェブサイトに最後に書き込みを行った最終書込日または最終書込日時が格納されており、上記サイト特定情報と共に上記最終書込日または最終書込日時を表示する制御手段を備えている構成である。【０２２９】
そして、本発明の通信端末装置は、以上のように、記憶部には、上記サイト特定情報と対応付けて該サイト特定情報で特定されるウェブサイトに接続した接続日が格納されており、上記サイト特定情報の中から、上記通信端末装置が接続先とするウェブサイトを特定するサイト特定情報を上記通信端末装置のユーザに選択させる選択手段と、上記選択手段によって接続先の候補として指定されたサイト特定情報に対応するウェブサイトの上記接続日をカレンダー状に表示する制御手段とを備えている構成である。【０２３０】
したがって、本発明の通信端末装置によれば、最終接続日、最終接続日時、最終書込日時、または最終書込日時からの経過時間をウェブサイトに接続することなく、容易に確認することができるので、コメントの付け忘れや更新忘れを防ぐことができるという効果を奏する。【０２３１】
また、上記制御手段は、上記選択手段によって接続先の候補として指定されたサイト特定情報で特定されるウェブサイトの上記経過時間情報に応じた形態で、上記選択手段を表示することが好ましい。【０２３２】
上記構成によれば、最終接続日時からの経過時間に応じて選択手段の表示態様が変わるので、最終接続日時からの経過時間の長短が通信端末装置のユーザにとってより認識しやすくなる。【０２３３】
また、上記記憶部には、上記サイト特定情報と対応付けて、上記経過時間情報の常時表示の可否を示す常時表示情報が格納されており、上記制御手段は、常時表示可能であることを示す常時表示情報が対応付けられているサイト特定情報で特定されるウェブサイトの経過時間情報を常に表示することが好ましい。【０２３４】
上記構成によれば、常時表示情報が可能であることを示す常時表示情報が対応付けられているサイト特定情報で特定されるウェブサイトの経過時間情報が常に表示されるので、通信端末装置のユーザが最終接続日時からの経過時間が長くなっているウェブサイトを見落とす可能性を低減することができる。【０２３５】
最終接続日時からの経過時間の表示位置は、例えば表示画面のピクト行とすればよい。ピクト行とは、通常、通信端末装置の表示画面の最上部に位置し、電池残量や電波状況等、通信端末装置の現在の状態を示す情報等を表示する領域であり、通信端末装置を操作する様々な状態（待ち受け、通話、インターネット、メール等）で常に表示されている。したがって、ピクト行は、最終接続日時からの経過時間の表示位置として好適である。【０２３６】
また、上記記憶部には、上記サイト特定情報と対応付けて、該サイト特定情報で特定されるウェブサイトへの書き込みの可否を示す書込可否情報が格納されており、上記制御手段は、書き込みが可能であることを示す書込可否情報が対応付けられているサイト特定情報と、他のサイト特定情報とを区別して表示することが好ましい。【０２３７】
ウェブサイトの中には、ブログや電子掲示板等のユーザが書き込みを行うことができるものと、そうでないものとがある。ここで、ブログや電子掲示板等のユーザが書き込みを行うことができるウェブサイトについては、最終接続日時からの経過時間を管理し、こまめに接続する必要がある。【０２３８】
上記の構成によれば、ユーザが書き込みできるウェブサイトのサイト特定情報とそれ以外のウェブサイトのサイト特定情報とが区別して表示されるので、ユーザは、書き込みできるウェブサイトの最終接続日時からの経過時間を管理しやすい。【０２３９】
なお、サイト特定情報を区別する表示方法としては、例えば表示画面を分割して、分割された１つの区分に書き込み可能なウェブサイトのサイト特定情報を表示し、他の区分にその他のサイト特定情報を表示すればよい。また、例えば書き込み可能なウェブサイトのサイト特定情報と、それ以外のサイト特定情報とを異なる色で表示してもよい。【０２４０】
また、上記記憶部には、上記サイト特定情報と対応付けて、該サイト特定情報で特定されるウェブサイトにて上記通信端末装置のユーザが書き込みを行う際に、書き込み者である該ユーザを特定するために使用している書込者特定情報が格納されており、上記制御手段は、上記サイト特定情報と共に、上記書込者特定情報を表示することが好ましい。【０２４１】
上述のように、電子掲示板やブログ等のウェブサイトに書き込みを行う場合、書き込み者を特定するための書込者特定情報としてニックネーム（ハンドルネーム）を使用することが一般的である。また、異なるウェブサイトでは、異なるニックネームを用いることも多い。【０２４２】
しかしながら、各ウェブサイトで異なるニックネームを用いる場合、どのウェブサイトでどのニックネームを使用していたかを失念してしまうことがある。従来は、ニックネームを失念してしまうと、各ウェブサイトに接続してどのニックネームを使用していたかを確認する必要があった。【０２４３】
ここで、上記の構成によれば、サイト特定情報と共に書込者特定情報が表示されるので、どのウェブサイトでどの書込者特定情報（例えばニックネーム）を使用しているかを各ウェブサイトに接続することなく、簡単に確認することができる。【０２４４】
また、上記制御手段は、上記サイト特定情報で特定されるウェブサイトに接続したときに、接続したウェブサイトの経過時間情報を該ウェブサイトのウェブページと共に表示することが好ましい。【０２４５】
上記の構成によれば、接続したウェブサイトの経過時間情報がウェブページと共に表示されるので、通信端末装置のユーザは、上記接続したウェブサイトの最終接続からの経過時間を認識した上でウェブページを閲覧し、必要に応じて書き込みを行うことができる。【０２４６】
また、接続したウェブサイトが書き込み可能なウェブサイトである場合、経過時間情報に加えて、そのウェブサイトにおけるユーザの書き込み日時や書き込み内容、そのウェブサイトで上記ユーザが使用しているニックネーム等も表示することが好ましい。これにより、ユーザは、そのウェブサイトにおける経緯をより明確に把握することができる。【０２４７】
また、上記記憶部には、上記サイト特定情報と対応付けてウェブサイトのメールアドレスが格納されており、上記制御手段は、受信した電子メールの送信元のメールアドレスが上記記憶部に格納されているメールアドレスと一致した場合に、該一致したメールアドレスに対応するサイト特定情報で特定されるウェブサイトの上記経過時間情報を表示することが好ましい。【０２４８】
電子掲示板やブログ等の書き込みが可能なウェブサイトでは、該電子掲示板やブログ等に他のユーザから書き込みがあった場合等に、その書き込み内容を通信端末装置等に電子メールで送付する機能を有するものが一般に普及している。【０２４９】
ここで、上記の構成によれば、ウェブサイトから電子メールが送られてきた場合に、当該ウェブサイトの経過時間情報が表示される。したがって、ユーザは、その電子メールが送られてきた経緯を踏まえて電子メールの内容を確認することができる。【０２５０】
また、接続したウェブサイトが書き込み可能なウェブサイトである場合、経過時間情報に加えて、そのウェブサイトにおけるユーザの書き込み日時や書き込み内容、そのウェブサイトで上記ユーザが使用しているニックネーム等も表示することが好ましい。これにより、ユーザは、電子メールが送られてきた経緯をより明確に把握することができる。【０２５１】
また、上記通信端末装置は、上記サイト特定情報の中から、上記通信端末装置が接続先とするウェブサイトを特定するサイト特定情報を上記通信端末装置のユーザに選択させる選択手段を備え、上記制御手段は、上記サイト特定情報と共に、上記選択手段によって選択候補として指定されたサイト特定情報のみの最終書込日または最終書込日時を表示することが好ましい。【０２５２】
上記構成によれば、選択候補のサイト特定情報で特定されるウェブサイトのみの最終書込日時が表示されるので、通信端末装置の表示画面が小さい場合であっても、最終書込日時をユーザが閲覧しやすい。【０２５３】
また、上記記憶部には、上記サイト特定情報と対応付けて、上記サイト特定情報で特定されるウェブサイトに対して所定の期間内に行われた書き込みの書込日または書込日時と該書込日または書込日時に書き込まれた書込内容とが格納されており、上記制御手段は、上記サイト特定情報と共に、上記書込日または書込日時と上記書込内容とを表示することが好ましい。【０２５４】
上述のように、従来の技術では、あるウェブサイトの過去の接続履歴を読み出すことは可能であるものの、そのウェブサイトの過去の状況については知ることができなかった。【０２５５】
ここで、ウェブサイトに書き込みを行う場合、そのウェブサイトにいつ書き込みをしたか、またどのようなコメントを書き込んだか等の状況、言い換えれば当該ウェブサイトにおける経緯を踏まえた書き込みをすることが好ましい。すなわち、ユーザがこのような経緯を容易に確認することができるようにすることで、よりスムーズな書き込みが可能になる。【０２５６】
上記の構成によれば、サイト特定情報と共に、書込日または書込日時と書込内容とが表示される。これにより、通信端末装置のユーザは、そのサイト特定情報で特定されるウェブサイトにおいて、いつ、どのような書き込みをしたかを当該ウェブサイトに接続することなく、容易に確認することができる。【０２５７】
また、上記通信端末装置は、上記記憶部に格納されているサイト特定情報で特定されるウェブサイトが更新された日付を当該ウェブサイトのサイト特定情報と対応付けて上記記憶部に格納する履歴取得手段を備え、上記制御手段は、上記ウェブサイトが更新された日付に、当該更新されたウェブサイトのサイト特定情報を表示したカレンダーを表示することが好ましい。【０２５８】
上記の構成によれば、カレンダーのウェブサイトが更新された日付に、更新されたウェブサイトのサイト特定情報が表示されるので、ユーザは、いつ、どのウェブサイトの更新が行われたかを容易に確認することができる。【０２５９】
これにより、ユーザは、ウェブサイトを更新するときや、ウェブサイトにコメントを書き込むときに、当該ウェブサイトが更新された日付を参考にすることができる。したがって、ユーザは、スムーズにウェブサイトの更新やコメントの書き込みを行うことができる。【０２６０】
ここで、ウェブサイトの更新とは、ウェブサイト自体が更新されたこと、及び上記通信端末装置におけるウェブサイトの登録状態が更新されたことを指す。ウェブサイト自体が更新される例としては、例えばウェブサイトが例えば管理者によって更新されたことや、ウェブサイトに書き込みが行われたことが挙げられる。また、通信端末装置におけるウェブサイトの登録状態が更新される例としては、ウェブサイトのサイト特定情報を通信端末装置の記憶部に記録したことが挙げられる。【０２６１】
なお、サイト特定情報を上記通信端末装置の記憶部に記録した日付は、サイト特定情報を上記通信端末装置の記憶部に記録したときに取得すればよい。また、ウェブサイトが更新された日付は、例えば当該更新されたウェブサイトから更新があったことを示す電子メールを受信したときに取得すればよい。なお、この場合、通信端末装置は、電子メールを受信する手段を備えており、ウェブサイトは上記通信端末装置に電子メールを送信する機能を有している必要がある。そして、ウェブサイトに書き込みを行った日付は、書き込みを行ったときに取得すればよい。【０２６２】
また、上記記憶部には、当該記憶部に格納されているサイト特定情報で特定されるウェブサイトが更新されたときの更新内容を示す更新内容情報が当該サイト特定情報と対応付けて格納されており、上記カレンダー上に表示されたサイト特定情報は、上記通信端末装置のユーザが選択可能に表示されており、上記制御手段は、上記カレンダー上に表示されたサイト特定情報が選択されたときに、上記記憶部に格納されている上記選択されたサイト特定情報で特定されるウェブサイトの上記更新内容情報を表示することが好ましい。【０２６３】
上記の構成によれば、ユーザは、更新内容情報を確認したいウェブサイトのサイト特定情報をカレンダー上で選択することによって、更新内容情報を表示させることができる。これにより、ユーザは、ウェブサイトの更新内容を容易に確認することができる。そして、ユーザは、更新内容を確認することにより、ウェブサイトの更新や、ウェブサイトへのコメントの書き込みをスムーズに行うことができる。【０２６４】
なお、更新内容情報は、ユーザとウェブサイトとの間に生じた関係の変化（例えば、ウェブサイトのサイト特定情報を記憶部に記録したこと）や、ウェブサイトが該ウェブサイトの管理者によって更新されたこと、上記ユーザによってウェブサイトに書き込みが行われたこと等を示す情報である。制御手段は、このような更新内容情報を文字や画像等を用いて表示する。【０２６５】
また、更新内容情報は、カレンダー上で選択した日付の更新内容情報のみを表示してもよいし、選択したサイト特定情報で特定されるウェブサイトの更新内容情報のうち、カレンダーに表示されているもののみを表示してもよい。さらに、選択したサイト特定情報で特定されるウェブサイトの記憶部に格納されている全ての更新内容情報を一覧表示してもよい。【０２６６】
また、上記記憶部には、上記サイト特定情報と対応付けて所定の期間を示す期間情報が格納されており、上記記憶部に格納されているサイト特定情報で特定されるウェブサイトへの上記最終接続日または最終接続日時と、上記計時手段より取得した現在の日付または日時との差より算出した経過時間情報と、上記期間情報とを参照し、上記ウェブサイトに接続していない期間が上記所定の期間を経過したことをユーザに報知することが好ましい。【０２６７】
上記の構成によれば、接続していない期間が所定の期間を経過したことが報知されるので、ユーザは、長期間接続していないウェブサイトの存在を容易に確認することができる。ゆえに、上記構成によれば、コメントの付け忘れや更新忘れをより確実に防ぐことができる。【０２６８】
なお、上記期間情報は、ウェブサイトごとにユーザが任意に設定・変更可能に構成することが好ましい。これにより、各ウェブサイトについてユーザの所望する頻度での接続管理が可能になる。また、所定の期間の経過は、所定の期間が経過してすぐに報知するようにしてもよいし、予め設定した日時に報知するようにしてもよい。【０２６９】
所定の期間の経過をユーザに報知する方法は特に限定されないが、例えば所定の期間の経過を示す画像や文字、記号を表示することによって所定の期間の経過をユーザに報知することができる。また、音や光、振動等を発生させることによって所定の期間の経過をユーザに報知してもよく、これらの方法を組み合わせて用いてもよい。【０２７０】
ここで、所定の期間の経過を画像や文字、記号を表示することによって報知する場合には、所定の期間が経過した後にユーザが所定の操作を行ったときに表示を行うようにしてもよい。ここで、所定の操作は、所定の期間の経過を示す表示するトリガとなる操作であり、特に限定されないが、例えば上記カレンダーを表示させる操作や、サイト特定情報を表示させる操作、インターネットに接続する操作などウェブサイトの管理や閲覧に関連する操作とすることが好ましい。【０２７１】
なお、上記通信端末装置は、コンピュータによって実現してもよく、この場合には、コンピュータを上記通信端末装置の各手段として動作させることにより、上記通信端末装置をコンピュータにて実現させる制御プログラム、及びそれを記録したコンピュータ読み取り可能な記録媒体も本発明の範疇に入る。【０２７２】
発明の詳細な説明の項においてなされた具体的な実施形態または実施例は、あくまでも、本発明の技術内容を明らかにするものであって、そのような具体例にのみ限定して狭義に解釈されるべきものではなく、本発明の精神と次に記載する請求の範囲内において、いろいろと変更して実施することができるものである。
【産業上の利用可能性】
【０２７３】
本発明によれば、お気に入りのウェブサイトへの最終訪問からの経過時間を容易に確認できるので、インターネットに接続してウェブサイトを閲覧したり書き込みをしたりできる端末であれば本発明を適用できる。具体的には、パソコン、ＰＤＡ、ＰＨＳ、携帯電話機等に適用でき、特に表示画面が小さい携帯電話機やＰＨＳ等に好適に適用できる。
【図１】
2008139870.tif 000003
【図２】
2008139870.tif 000004
【図３】
2008139870.tif 000005
【図４】
2008139870.tif 000006
【図５】
2008139870.tif 000007
【図６】
2008139870.tif 000008
【図７】
2008139870.tif 000009
【図８】
2008139870.tif 000010
【図９】
2008139870.tif 000011
【図１０】
2008139870.tif 000012
【図１１】
2008139870.tif 000013
【図１２】
2008139870.tif 000014
【図１３】
2008139870.tif 000015
【図１４】
2008139870.tif 000016
【図１５】
2008139870.tif 000017
【図１６】
2008139870.tif 000018
【図１７】
2008139870.tif 000019
【図１８】
2008139870.tif 000020
【図１９】
2008139870.tif 000021
【図２０】
2008139870.tif 000022
【図２１】
2008139870.tif 000023
【国際調査報告】
2008139870.tif 000024
2008139870.tif 000025
2008139870.tif 000026
2008139870.tif 000027